(57)【要約】  画素の駆動トランジスタを検出して、画素の駆動トランジスタの現在特性値Ｋ１を取得することと；前フレームの画像の表示周期で取得した、画素の駆動トランジスタの履歴補償用特性値Ｋ２を抽出することと；画素の駆動トランジスタに対応する前記現在特性値Ｋ１と前記履歴補償用特性値Ｋ２に応じて、画素の駆動トランジスタの前記現在補償用特性値Ｋを算出取得することと；画素の駆動トランジスタの現在補償用特性値Ｋに応じて、対応する画素を補償することとを含む画素補償方法。【選択図】図３
2020537169.tif 000002
【特許請求の範囲】
【請求項１】
画素の駆動トランジスタを検出し、画素の駆動トランジスタの現在特性値Ｋ１を取得することと、
前フレームの画像の表示周期で取得した、画素の駆動トランジスタの履歴補償用特性値Ｋ２を抽出することと、
画素の駆動トランジスタに対応する前記現在特性値Ｋ１と前記履歴補償用特性値Ｋ２に応じて、画素の駆動トランジスタの前記現在補償用特性値Ｋを算出取得することと、
画素の駆動トランジスタの現在補償用特性値Ｋに応じて、対応する画素を補償することとを含む、画素補償方法。
【請求項２】
画素の駆動トランジスタを検出し、画素の駆動トランジスタの現在特性値Ｋ１を取得することは、
各ブランキング時間内において少なくとも１行の画素を走査し、且つ走査された各画素の駆動トランジスタを検出して、各画素の駆動トランジスタの現在特性値Ｋ１を取得することを含み、
前記ブランキング時間は、隣接する２フレームの画像の走査時間の間に、予め設定された時間である、請求項１に記載の画素補償方法。
【請求項３】
各ブランキング時間内において少なくとも１行の画素を走査する時、該少なくとも１行の画素中の同一色の各画素のみの駆動トランジスタを検出して、該少なくとも１行の画素中の同一色の各画素の駆動トランジスタの現在特性値Ｋ１を取得する、請求項２に記載の画素補償方法。
【請求項４】
前記画素の駆動トランジスタに対応する前記現在特性値Ｋ１及び前記履歴補償用特性値Ｋ２に応じて、画素の駆動トランジスタの前記現在補償用特性値Ｋを算出取得することは、
前記現在特性値Ｋ１と前記履歴補償用特性値Ｋ２との間の差値Ｋｔｅｍｐを算出し、ここでは、Ｋｔｅｍｐ＝Ｋ１−Ｋ２とすることと、
前記差値Ｋｔｅｍｐに応じて、ステップ値Ｋｓｔｅｐを決定し、ここでは、０＜Ｋｓｔｅｐ＜｜Ｋｔｅｍｐ｜とすることと、
前記現在特性値Ｋ１と前記履歴補償用特性値Ｋ２の大小を対比することとを含み；
前記現在特性値Ｋ１と前記履歴補償用特性値Ｋ２の大小、及び前記ステップ値Ｋｓｔｅｐに応じて、前記現在補償用特性値Ｋを算出取得することは、
前記現在特性値Ｋ１が前記履歴補償用特性値Ｋ２より大きい場合、Ｋ＝Ｋ２＋Ｋｓｔｅｐとし；前記現在特性値Ｋ１が前記履歴補償用特性値Ｋ２より小さい場合、Ｋ＝Ｋ２−Ｋｓｔｅｐとすることと、
又は、
前記現在特性値Ｋ１が前記履歴補償用特性値Ｋ２より大きい場合、Ｋ＝Ｋ１−Ｋｓｔｅｐとし；前記現在特性値Ｋ１が前記履歴補償用特性値Ｋ２より小さい場合、Ｋ＝Ｋ１＋Ｋｓｔｅｐとすることとを含む、
請求項１に記載の画素補償方法。
【請求項５】
前記差値Ｋｔｅｍｐに応じて、ステップ値Ｋｓｔｅｐを決定することは、
ステップ係数ａを設定し、ここでは、ａを１より小さく且つ０より大きいとすることと、
前記差値Ｋｔｅｍｐ及び前記ステップ係数ａに応じて、前記ステップ値Ｋｓｔｅｐを算出し、ここでは、Ｋｓｔｅｐ＝ａ×｜Ｋｔｅｍｐ｜とすることとを含む、
請求項４に記載の画素補償方法。
【請求項６】
前記差値Ｋｔｅｍｐに応じて、ステップ値Ｋｓｔｅｐを決定することは、
ｎ個の区間を設定し、且つ各前記区間に対応するステップ標準値を設定し、ｎを１より大きい整数とすることと、
前記差値Ｋｔｅｍｐが収まる前記区間を判断し、前記差値Ｋｔｅｍｐが収まる前記区間に対応するステップ標準値を前記ステップ値Ｋｓｔｅｐとして決定することとを含む、請求項４に記載の画素補償方法。
【請求項７】
ｎ個の前記区間において、第ｉ区間の開始点と第ｉ−１区間の終了点とは値が等しく、且つ第ｉ−１区間が第ｉ−１区間の終了点で開放する場合、第ｉ間隔は、第ｉ区間の開始点で閉合し、逆に第ｉ−１区間が第ｉ−１区間の終了点で閉合する場合、第ｉ間隔は、第ｉ区間の開始点で開放し、ここでは、２≦ｉ≦ｎとする、請求項６に記載の画素補償方法。
【請求項８】
前記画素の駆動トランジスタの現在補償用特性値Ｋに応じて、対応する画素を補償することは、
取得した画素の駆動トランジスタの前記現在補償用特性値Ｋをメモリに記憶することと、
前記メモリから画素の駆動トランジスタの前記現在補償用特性値Ｋを抽出して、対応する画素を補償することとを含む、請求項１に記載の画素補償方法。
【請求項９】
前記画素の駆動トランジスタの現在補償用特性値Ｋに応じて、対応する画素を補償することは、
隣接フレームの画像の表示周期でそれぞれ取得した、全ての画素中の各画素の駆動トランジスタの現在補償用特性値Ｋを、第１記憶領域と第２記憶領域に交互に記憶し、各フレームの画像の表示周期で取得した、全ての画素中の各画素の駆動トランジスタの現在補償用特性値Ｋの記憶が完了した後、画素の駆動トランジスタの現在補償用特性値Ｋを抽出して、対応する画素を補償することを含む、請求項１に記載の画素補償方法。
【請求項１０】
前記画素の駆動トランジスタの現在補償用特性値Ｋに応じて、対応する画素を補償することは、
隣接フレームの画像の表示周期でそれぞれ取得した同一色の全ての画素中の各画素の駆動トランジスタの現在補償用特性値Ｋを、該色に対応する第１色データサブ領域と第２色データサブ領域に交互に記憶し、各フレームの画像の表示周期で取得した同一色の全ての画素中の各画素の駆動トランジスタの現在補償用特性値Ｋの記憶が完了した後、該色の画素の駆動トランジスタの現在補償用特性値Ｋを抽出して、対応する画素を補償し、ここでは、表示装置の配列パタンのうちいずれか１つの色には、何れも第１色データサブ領域と第２色データサブ領域が対応付けられることを含む、請求項１に記載の画素補償方法。
【請求項１１】
主制御チップと、ゲートドライバと、ソースドライバとを備え、前記主制御チップは、それぞれ前記ゲートドライバと前記ソースドライバに接続され、前記ゲートドライバと前記ソースドライバは、それぞれ各画素中の画素の駆動トランジスタのゲートとソースに接続される、画素補償システムであって、
前記主制御チップは、画素の駆動トランジスタの現在補償用特性値Ｋを取得するように配置されており、
前記ゲートドライバと前記ソースドライバは、取得した画素の駆動トランジスタの現在補償用特性値Ｋを用いて対応する画素を補償するように配置される、画素補償システム。
【請求項１２】
前記主制御チップは、更に、
画素の駆動トランジスタを検出し、画素の駆動トランジスタの現在特性値Ｋ１を取得し、
前フレームの画像の表示周期で取得した、画素の駆動トランジスタの履歴補償用特性値Ｋ２を抽出し、
画素の駆動トランジスタに対応する前記現在特性値Ｋ１と前記履歴補償用特性値Ｋ２に応じて、画素の駆動トランジスタの前記現在補償用特性値Ｋを算出取得するように配置される、請求項１１に記載の画素補償システム。
【請求項１３】
前記主制御チップは、更に、
前記現在特性値Ｋ１と前記履歴補償用特性値Ｋ２との間の差値Ｋｔｅｍｐを算出し、ここでは、Ｋｔｅｍｐ＝Ｋ１−Ｋ２とし、
前記差値Ｋｔｅｍｐに応じて、ステップ値Ｋｓｔｅｐを決定し、０＜Ｋｓｔｅｐ＜｜Ｋｔｅｍｐ｜とし、
前記現在特性値Ｋ１と前記履歴補償用特性値Ｋ２との大小を対比し、
前記現在特性値Ｋ１と前記履歴補償用特性値Ｋ２との大小、及び前記ステップ値Ｋｓｔｅｐに応じて、前記現在補償用特性値Ｋを算出取得し；ここでは、前記現在特性値Ｋ１が前記履歴補償用特性値Ｋ２より大きい場合、Ｋ＝Ｋ２＋Ｋｓｔｅｐとし；前記現在特性値Ｋ１が前記履歴補償用特性値Ｋ２より小さい場合、Ｋ＝Ｋ２−Ｋｓｔｅｐとするように配置される、請求項１２に記載の画素補償システム。
【請求項１４】
前記主制御チップは、更に、
前記現在特性値Ｋ１と前記履歴補償用特性値Ｋ２との間の差値Ｋｔｅｍｐを算出し、ここでは、Ｋｔｅｍｐ＝Ｋ１−Ｋ２とし、
前記差値Ｋｔｅｍｐに応じて、ステップ値Ｋｓｔｅｐを決定し、且つ０＜Ｋｓｔｅｐ＜｜Ｋｔｅｍｐ｜とし、
前記現在特性値Ｋ１と前記履歴補償用特性値Ｋ２との大小を対比し、
前記現在特性値Ｋ１と前記履歴補償用特性値Ｋ２との大小、及び前記ステップ値Ｋｓｔｅｐに応じて、前記現在補償用特性値Ｋを算出取得し；ここでは、前記現在特性値Ｋ１が前記履歴補償用特性値Ｋ２より大きい場合、Ｋ＝Ｋ１−Ｋｓｔｅｐとし；前記現在特性値Ｋ１が前記履歴補償用特性値Ｋ２より小さい場合、Ｋ＝Ｋ１＋Ｋｓｔｅｐとするように配置される、請求項１２に記載の画素補償システム。
【請求項１５】
前記主制御チップは、更に、
ステップ係数ａを決定し、ここでは、ａを１より小さく且つ０より大きいとし、
前記差値Ｋｔｅｍｐ及び前記ステップ係数ａに応じて、前記ステップ値Ｋｓｔｅｐを算出し、且つＫｓｔｅｐ＝ａ×｜Ｋｔｅｍｐ｜とするように配置される、請求項１３又は請求項１４に記載の画素補償システム。
【請求項１６】
前記主制御チップは、更に、
ｎ個の区間を設定し、ここでは、ｎが０より大きい整数とし、且つｎ個の区間において、第ｉ区間の開始点と第ｉ−１区間の終了点とは値が等しく、且つ第ｉ区間が第ｉ区間の開始点で閉合する場合、第ｉ−１間隔は、第ｉ−１区間の終了点で開放し、逆に第ｉ区間が第ｉ区間の開始点で開放する場合、第ｉ−１間隔は、第ｉ−１区間の終了点で閉合する、ここでは、２≦ｉ≦ｎとし、
各前記区間に対応するステップ標準値を設定し、
前記差値Ｋｔｅｍｐが収まる前記区間を判断し、
前記差値Ｋｔｅｍｐが収まる前記区間に応じて、前記差値Ｋｔｅｍｐが収まる前記区間に対応するステップ基準値をステップ値Ｋｓｔｅｐとして取得するように配置される、請求項１３又は請求項１４に記載の画素補償システム。
【請求項１７】
更に、メモリを備え、
前記メモリは前記制御チップに接続され、前記現在補償用特性値取得手段により取得した画素の駆動トランジスタの前記現在補償用特性値Ｋを記憶するように配置されており、
前記主制御チップは、更に、各フレームの画像の表示周期で取得した、全ての画素中の各画素の駆動トランジスタの現在補償用特性値Ｋの記憶が完了した後、前記メモリから画素の駆動トランジスタの前記現在補償用特性値Ｋを抽出して、対応する画素を補償するように配置される、請求項１１に記載の画素補償システム。
【請求項１８】
前記メモリは、第１メモリと、第２メモリとを備え、
前記第１メモリと前記第２メモリは、それぞれ前記主制御チップに接続され、前記第１メモリと前記第２メモリは、隣接フレームの画像の表示周期でそれぞれ取得した全ての画素中の各画素の駆動トランジスタの現在補償用特性値Ｋを交互に記憶するように配置されており、
前記主制御チップは、更に、各フレームの画像の表示周期で取得した、全ての画素中の各画素の駆動トランジスタの現在補償用特性値Ｋが前記第１メモリと前記第２メモリに交互に記憶された後、前記第１メモリと前記第２メモリから画素の駆動トランジスタの現在補償用特性値Ｋを交互に抽出して、対応する画素を補償するように配置される、請求項１１に記載の画素補償システム。
【請求項１９】
前記システムは、更に、第１色データメモリと、第２色データメモリとを備え；表示装置の配列パターンのうちいずれか１つの色には、何れも第１色データメモリと第２色データメモリが対応付けられ；前記第１色データメモリと前記第２色データメモリは、それぞれ前記主制御チップに接続され、前記第１色データメモリと第２色データメモリは、
隣接フレームの画像の表示周期でそれぞれ取得した、該色に対応する全ての画素中の各画素の駆動トランジスタの現在補償用特性値Ｋを交互に記憶ように配置されており、
前記主制御チップは、更に、各フレームの画像の表示周期で取得した、同一色の全ての画素中の各画素の駆動トランジスタの現在補償用特性値Ｋの記憶が完了した後、該色の画素の駆動トランジスタの現在補償用特性値Ｋを抽出して、対応する画素を補償するように配置される、請求項１１に記載の画素補償システム。
【請求項２０】
表示領域と非表示領域とを備える表示装置であって、
前記表示装置は、前記表示領域に位置するゲート線とデータ線とを含み、前記ゲート線とデータ線とが空間的に交差して複数のアレイ配列された画素を形成し、各前記画素は、いずれも駆動トランジスタを有し、
前記表示装置は、前記非表示領域に位置すると共に、
前記ゲート線に電気的に接続されるゲートドライバと、
前記データ線に電気的に接続されるソースドライバと、
操作指令を含むプログラムコードを記憶するように配置されたメモリと、
前記ゲートドライバ、ソースドライバ及びメモリに接続され、前記操作指令を実行する時、請求項１−１１のいずれかに記載の画素補償方法を実行し、且つ各前記駆動トランジスタを駆動して対応する動作を実行するように配置される１つ又は複数の主制御チップとを備える、表示装置。
【発明の詳細な説明】
【技術分野】
【０００１】
本開示は、表示技術の分野に関し、特に画素補償方法及びシステム、表示装置に関するものである。
【背景技術】
【０００２】
表示装置は、文字、数字、符号、図面、又は文字、数字、符号、図面のうちの少なくとも２つの組合せによって形成された画像等の画面を表示するための装置であり、人々の生活及び仕事に比較的に大きな利便性を提供する。
【発明の概要】
【課題を解決するための手段】
【０００３】
第１の態様では、本開示の幾つかの実施例は、画素の駆動トランジスタを検出し、画素の駆動トランジスタの現在特性値Ｋ１を取得することと；前フレームの画像の表示周期で取得した、画素の駆動トランジスタの履歴補償用特性値Ｋ２を抽出することと；画素の駆動トランジスタに対応する前記現在特性値Ｋ１と前記履歴補償用特性値Ｋ２に応じて、画素の駆動トランジスタの前記現在補償用特性値Ｋを算出取得することと；画素の駆動トランジスタの現在補償用特性値Ｋに応じて、対応する画素を補償することとを含む、画素補償方法を提供する。
【０００４】
第２の態様では、本開示の幾つかの実施例は、画素補償システムを提供する。該主制御チップと、ゲートドライバと、ソースドライバとを備え、前記主制御チップは、前記ゲートドライバと前記ソースドライバにそれぞれ接続され、前記ゲートドライバと前記ソースドライバは、各画素中の画素の駆動トランジスタのゲートとソースにそれぞれ接続されており、前記主制御チップは、画素の駆動トランジスタの現在補償用特性値Ｋを取得するように配置されており；前記ゲートドライバと前記ソースドライバは、取得した画素の駆動トランジスタの現在補償用特性値Ｋを用いて、対応する画素を補償するように配置される。
【０００５】
第３の態様では、本開示の幾つかの実施例は、表示領域と非表示領域とを有する表示装置を提供する。前記表示装置は、前記表示領域に位置するゲート線とデータ線とを含み、前記ゲート線とデータ線とが空間的に交差して複数のアレイ配列された画素を形成し、各前記画素は、いずれも駆動トランジスタを含む。前記表示装置は、前記非表示領域に位置すると共に、前記ゲート線に電気的に接続されるゲートドライバと、前記データ線に電気的に接続されるソースドライバと、操作指令を含むプログラムコードを記憶するように配置されるメモリと、前記ゲートドライバ、ソースドライバ及びメモリに接続されると共に、前記操作指令を実行する時、第１の態様に記載の画素補償方法を実行して、各前記駆動トランジスタを駆動して対応する動作を実行させるように配置される１つ又は複数の主制御チップとを備える。
【図面の簡単な説明】
【０００６】
ここで説明する図面は、本開示をよりよく理解するために提供されるものであり、本開示の一部を構成し、本開示の例示的な実施例及びその説明は、本開示を説明するためのものであり、本開示を限定すると意図していない。
【０００７】
【図１】本開示の幾つかの実施例に係る表示装置は、画素補償時に発生する階層化現象及びリフレッシュ現象を示す図である。
【図２】本開示の幾つかの実施例に係る表示装置における画素の第１配列方式を示す図である。
【図３】本開示の幾つかの実施例に係る画素補償方法のフローチャートである。
【図４】図３に示す画素補償方法の例示的なフローチャートである。
【図５】図４に示す画素補償方法の変形例１のフローチャートである。
【図６】図４に示す画素補償方法の変形例２のフローチャートである。
【図７】図４に示す画素補償方法の変形例３のフローチャートである。
【図８】本開示の実施例において現在補償用特性値を記憶する時の第１記憶構成を示す図である。
【図９】図４に示す画素補償方法の変形例４のフローチャートである。
【図１０】本開示の幾つかの実施例において現在補償用特性値を記憶する時の第２記憶構成を示す図である。
【図１１】本開示の幾つかの実施例に係る表示装置における画素の第２配列方式の図である。
【図１２】本開示の幾つかの実施例において現在補償用特性値を記憶する時の第３記憶構成を示す図である。
【図１３】本開示の幾つかの実施例に係る画素補償システムの構成を示す図である。
【図１４】本開示の幾つかの実施例に係る画素補償システムのメモリの第１構成を示す図である。
【図１５】本開示の幾つかの実施例に係る画素補償システムのメモリの第２構成を示す図である。
【図１６】本開示の幾つかの実施例に係る表示装置の構成を示す図である。
【発明を実施するための形態】
【０００８】
以下、本開示の実施例の目的、技術的特徴及び効果をより明確にするため、本開示の実施例の図面を参照し、本開示の実施例における技術案を明確、完全に説明する。無論、説明する実施例はあくまで本開示の実施例の一部のみであり、全ての実施例ではないことは明らかである。本開示における実施例に基づき、当業者が格別創意がなく容易に想到できる他のすべての実施例は、本開示の権利範囲に含まれるものとする。
【０００９】
本開示の幾つかの実施例に係る画素補償方法は、表示装置に適用される。表示装置としては、表示器、テレビ、携帯電話、タブレットコンピュータ、ゲーム機、個人用携帯情報端末（ＰＤＡ）等が挙げられる。
【００１０】
図２１に示すように、表示装置は、表示領域５０と、表示領域５０の周囲に位置する非表示領域とを有する。表示装置のゲート線ＧＬ及びデータ線ＤＬは、表示領域５０に位置し、空間的に交差して複数のアレイ配列された画素５１を形成し、各画素５１は、いずれも駆動トランジスタ５２を含む。駆動トランジスタ５２は、例えば、低温ポリシリコン薄膜トランジスタ（Ｌｏｗ  Ｔｅｍｐｅｒａｔｕｒｅ  Ｐｏｌｙ−Ｓｔｉｌｉｃｏｎ  Ｔｈｉｎ−Ｆｉｌｍ  Ｔｒａｎｓｉｓｔｏｒ、ＬＴＰＳ  ＴＦＴ）のようなポリシリコン薄膜トランジスタ、単結晶シリコン薄膜トランジスタ、アモルファスシリコン薄膜トランジスタ、金属酸化物薄膜トランジスタ等の薄膜トランジスタであってもよい。表示装置のフィールドプログラマブルゲートアレイ１０、ゲートドライバ２０、ソースドライバ３０及びメモリ４０は、共に非表示領域内に位置する。
【００１１】
フィールドプログラマブルゲートアレイ（ＦＰＧＡ）１０は、プロセッサに類し、種々な演算を実行可能な主制御チップである。前記主制御チップは、ＡＳＩＣチップ（Ａｐｐｌｉｃａｔｉｏｎ  Ｓｐｅｃｉｆｉｃ  Ｉｎｔｅｇｒａｔｅｄ  Ｃｉｒｃｕｉｔ）であってもよい。
【００１２】
ゲートドライバ２０及びソースドライバ３０は、前記主制御チップからの指示に応じ、表示領域５０に位置するゲート線ＧＬ及びデータ線ＤＬに信号を送信し、各画素５１中の対応する駆動トランジスタ５２を駆動して、対応する動作を実行させる実行手段である。
【００１３】
メモリ４０は、前記主制御チップの取り出し及び使用に供されるデータを記憶する。メモリ４０は、不揮発性メモリであって、電源切断後にデータが欠損にならないフラッシュメモリと、高速メモリであって、電源切断後にデータが欠損になるＤＤＩメモリ（Ｄａｔａ  Ｄｏｃｕｍｅｎｔａｔｉｏｎ  Ｉｎｉｔｉａｔｉｖｅ）とを含む。
【００１４】
表示装置は、複数行のゲート線ＧＬを含み、各行のゲート線は、１行の画素５１に対応する。例えば、図２に示すように、表示装置はＲＧＢ（Ｒｅｄ赤色、Ｇｒｅｅｎ緑色、Ｂｌｕｅ青色）配列を用い、各行の画素はＲ画素１、Ｇ画素２、Ｂ画素３の順で順次重複して配列される。又は、図１１に示すように、表示装置はＲＧＢＷ（Ｒｅｄ赤色、Ｇｒｅｅｎ緑色、Ｂｌｕｅ青色、Ｗｈｉｔｅ白色）配列パターンを用い、各行の画素はＲ画素１、Ｇ画素２、Ｂ画素３、Ｗ画素４の順で順次重複して配列される。
【００１５】
表示装置は、順次走査の方式で１フレームの画像を表示する。表示装置がＮ行のゲート線ＧＬを有する場合、ある１フレームの画像の表示周期において、ゲート線ＧＬを第１行から第Ｎ行までを順次走査して、各行の画素を第１行から第Ｎ行までを順次点灯させて、１フレームの画像の表示を完了させる。次フレームの画像の表示周期において、再度ゲート線ＧＬを第１行から第Ｎ行までを順次走査する時、次フレームの画像の表示を完了させる。隣接する２フレームの画像の走査時間の間には、ブランキング時間と呼ぶ非走査時間が予め設定される。例えば、表示装置は２１６０行のゲート線（即ち、Ｎ＝２１６０）を有するが、実際では、２２５０行のゲート線を走査し、そのうちの９０行のゲート線の走査時間は、ブランキング時間に対応する。６０Ｈｚの走査周波数では、１フレームの画像の走査所要時間は（１／６０）秒である。この（１／６０）秒において、２１６０行のゲート線の走査所要時間は（１／６０）秒×（２１６０／２２５０）であり、ブランキング時間は（１／６０）秒×（９０／２２５０）である。
【００１６】
画素は、画素の駆動方式によって、電圧駆動型と電流駆動型に分類される。電流駆動型の画素を用いた表示装置について、表示装置の画面表示品質は通常、画素に印加された電流の影響を受ける。
【００１７】
例えば、アクティブマトリックス有機発光ダイオード（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ，ＡＭＯＬＥＤ）表示装置にとって、表示装置の画面表示品質は、通常、ＯＬＥＤ画素に印加された電流の影響を受ける。ＯＬＥＤ画素の駆動トランジスタ（例えば、薄膜トランジスタ）の製造プロセス、温度等に対する感度等の要因により、表示装置の各ＯＬＥＤ画素の駆動トランジスタの特性（例えば、薄膜トランジスタの閾値電圧、移動度、電流電圧の公式の比例係数など）は通常、表示装置の動作中に変化するため、各ＯＬＥＤ画素に印加される電流の不均一になり、且つ各ＯＬＥＤ画像に印加された電流と表示すべく画面とが不整合となり、その結果、表示装置の画面表示品質は比較的に悪化される。
【００１８】
表示装置動作中での各画素の駆動トランジスタの特性の変化を相殺するため、表示装置における各画素を補償することが考えられる。表示装置における各画素を補償する時、まず各画素の駆動トランジスタの現在補償用特性値Ｋを取得し、次に、取得した各画素の駆動トランジスタの現在補償用特性値Ｋに応じ対応する画素を補償して、表示装置動作中での駆動トランジスタの特性変化に起因する、該画素に印加される電気信号の不均一を防止すると共に、表示装置動作中での駆動トランジスタの特性変化に起因する、画素に印加される電気信号と表示すべく画面との不整合を防止する。これは、特に電流駆動型の画素（例えば、ＯＬＥＤ画素）を用いた表示装置に適用する。
【００１９】
以下に説明する画素補償方法は、上記の表示装置に実現することができる。
【００２０】
例えば、本開示の幾つかの実施例に係る画素補償方法は、以下のステップを含む。
【００２１】
Ｓ１００：画素の駆動トランジスタの現在補償用特性値Ｋを取得する。
【００２２】
画素の駆動トランジスタの現在補償用特性値Ｋを取得する時、駆動トランジスタの閾値電圧に応じて取得する、又は駆動トランジスタの移動度に応じて取得する、又は駆動トランジスタの電流電圧の公式の比例係数に応じて取得する。
【００２３】
Ｓ２００：画素の駆動トランジスタの現在補償用特性値Ｋに応じて、対応する画素を補償する。
【００２４】
画素の駆動トランジスタの現在補償用特性値Ｋを算出取得し、そして画素の駆動トランジスタの現在補償用特性値Ｋに応じて対応する画素を補償するため、表示装置動作中に画素に電流を印加する時、駆動トランジスタの特性の可能な変化が考慮されたので、画素に印加された電流を均一にさせ、且つ画素に印加される電流と表示すべく画面とを整合させ、よって表示装置の画面表示品質を向上させ得る。
【００２５】
Ｓ１００において、画素の駆動トランジスタの現在補償用特性値Ｋは、様々な実現方式により取得することができる。
【００２６】
実現方式１：例えば、画素の駆動トランジスタを検出し、駆動トランジスタの現在特性値Ｋ１を取得し、そして駆動トランジスタの現在特性値Ｋ１を、該駆動トランジスタの現在補償用特性値Ｋとして直接使用する。
【００２７】
表示装置が１フレームの画像を表示可能なＮ行の画素、及びブランキング時間に対応するｎ行の画素を有する場合、一例として、１フレーム毎の画像の走査は、１フレームの画像を表示するための走査と、現在特性値Ｋ１を取得するための走査とを含む。例えば、現フレームの画像の表示時間（１／６０）秒内において、前の（Ｎ／（Ｎ＋ｎ））時間（以下、「表示走査時間」と称する）内では、第１行の画素Ｐｉｘｅｌ１から第Ｎ行の画素ＰｉｘｅｌＮまで走査して、前記現フレームの画像を表示する；そして、後の（Ｎ／（Ｎ＋ｎ））時間（ブランキング時間）内では、第１行の画素Ｐｉｘｅｌ１から第Ｎ行の画素ＰｉｘｅｌＮまでのうちの１行を走査して、走査された１行の画素の現在特性値Ｋ１を取得する。
【００２８】
同様に、次フレームの画像の表示時間（１／６０）秒内において、前の（Ｎ／（Ｎ＋ｎ））時間内では、第１行の画素Ｐｉｘｅｌ１から第Ｎ行の画素ＰｉｘｅｌＮまで走査して前記次フレームの画像を表示する；そして、後の（Ｎ／Ｎ＋ｎ）時間内では、第１行の画素Ｐｉｘｅｌ１から第Ｎ行の画素ＰｉｘｅｌＮまでのうちの次の１行を走査して、走査された次の１行の画素の現在特性値Ｋ１を取得する。
【００２９】
これに基づき類推すると、この例では、２フレーム毎の画像の間には１つのブランキング時間があり、且つ各ブランキング時間内において１行の画素の現在特性値Ｋ１を取得するように該行の画素を走査するので、各行の画素の現在特性値Ｋ１を取得するため、Ｎ個のブランキング時間内において（Ｎ行の画素のすべてを走査するにはＮ個のブランキング時間が必要である）、走査された各行の画素を検出し各行の画素の現在特性値Ｋ１を取得するように、第１行の画素Ｐｉｘｅｌ１から第Ｎ行の画素ＰｉｘｅｌＮまで走査する必要がある。このような各行の画素の現在特性値Ｋ１を取得するように複数のブランキング時間内において第１行の画素Ｐｉｘｅｌ１から第Ｎ行の画素ＰｉｘｅｌＮまで走査する操作は、１フレームの画像の表示周期の走査と呼ぶ。表示装置が２１６０行の画素を有し、且つリフレッシュ周波数が６０Ｈｚである場合、１フレームの画像の表示周期の走査を完了するのにかかる時間は２１６０／６０＝３６秒である。
【００３０】
別の例として、１フレーム毎の画像の走査は、上記の例の１つのブランキング時間に限定されることなく、２つ以上のブランキング時間を有してもよく；又は、ブランキング時間は、上記の例のように１フレーム画像毎の走査の最後に位置するに限定されないが故に、ブランキング時間は、上記の後の（ｎ／（Ｎ＋ｎ））時間に限定されない；又は、上記の１つのブランキング時間内において、走査は第１行の画素Ｐｉｘｅｌ１から第Ｎ行の画素ＰｉｘｅｌＮまでのうちの１行に限定されなく、２行以上走査してもよい。
【００３１】
換言すると、現在特性値Ｋ１を現在補償用特性値Ｋとして直接使用して画素を補償する場合、現フレームの画像の表示周期の少なくとも１つのブランキング時間内に、第１行の画素Ｐｉｘｅｌ１から第Ｎ行の画素ＰｉｘｅｌＮまでを順次走査する（現在特性値Ｋ１を取得するための走査である）。
【００３２】
現フレームの画像の表示周期の走査内において、ブランキング時間が終了した度に、次フレームの表示時間に入る。当該次フレームの表示時間内では、現フレームの画像の表示周期では既に走査された少なくとも１行の画素中の各画素を補償する場合、用いられる補償データは、現フレームの画像の表示周期で既に取得した現在特性値Ｋ１である。これに対して、現フレームの画像の表示周期では走査されていない残りの行の画素中の各画素を補償する場合、用いられる補償データは、前フレームの画像の表示周期で取得した履歴補償用特性値Ｋ２である。
【００３３】
本開示の幾つかの実施形態において、図１（ａ）及び図２に示すように、現フレームの画像の表示周期の第１ブランキング時間から第ｊブランキング時間までの間に、既に図２における第１行の画素Ｐｉｘｅｌ１から第ｍ行の画素Ｐｉｘｅｌｍまで走査し、ここでは、ｊ≦ｍで、ｍ＜Ｎ、且つ第１行の画素Ｐｉｘｅｌ１から第ｍ行の画素Ｐｉｘｅｌｍまでの各画素の駆動トランジスタの現在特性値Ｋ１を取得し、且つ取得した第１行の画素Ｐｉｘｅｌ１から第ｍ行の画素Ｐｉｘｅｌｍまでの各画素の駆動トランジスタの現在特性値Ｋ１を、第１行の画素Ｐｉｘｅｌ１から第ｍ行の画素Ｐｉｘｅｌｍまでの各画素の駆動トランジスタの補償データ、即ち現在補償用特性値Ｋとして直接使用する。
【００３４】
そして、第ｊブランキング時間が終了した後、次フレームの表示時間に入り、上記した現フレームの画像の表示周期の第１ブランキング時間から第ｊブランキング時間までの間に取得した、第１行の画素Ｐｉｘｅｌ１から第ｍ行の画素Ｐｉｘｅｌｍまでの各画素の駆動トランジスタの現在特性値Ｋ１を用いて、第１行の画素Ｐｉｘｅｌ１から第ｍ行の画素Ｐｉｘｅｌｍまでの各画素を補償する。これに対して、第（ｍ＋１）行の画素Ｐｉｘｅｌｍ＋１から第Ｎ行の画素ＰｉｘｅｌＮまでの各画素を補償する時に用いられる補償データは、前フレームの画像の表示周期で取得した履歴補償用特性値Ｋ２である。
【００３５】
この時、現フレームの画像の表示周期で取得した、第１行から第ｍ行の画素の各駆動トランジスタの現在補償用特性値Ｋ（即ち現在特性値Ｋ１）は、前フレームの画像の表示周期で取得した、第（ｍ＋１）行から第Ｎ行の画素の各駆動トランジスタの履歴補償用特性値Ｋ２との差値が比較的に大きい場合、表示装置により次フレームの表示時間内に表示される画面は、図１（ａ）の示すように、上下に階層化される現象が発生する。
【００３６】
且つ、現フレームの画像の表示周期内での、第ｍ＋１行の画素Ｐｉｘｅｌｍ＋１から第Ｎ行の画素ＰｉｘｅｌＮまでの走査の漸次進行に伴い、表示装置により表示される画面は、図１（ａ）に示すような状況から図１（ｂ）に示す状況へ漸次リフレッシュされ、更に図１（ｃ）に示す状況へ漸次リフレッシュされる。換言すれば、表示装置により異なるフレームの表示時間内に表示される画面は、リフレッシュ現象が発生する。
【００３７】
上記した問題に鑑み、本開示の幾つかの実施例は、上記のＳ１００に対して以下のような実現方式２を提供する。
【００３８】
実現方式：図３に示すように、画素の駆動トランジスタの現在補償用特性値Ｋを取得するＳ１００には、以下のステップを含むことができる。
【００３９】
Ｓ１０：現フレームの画像の表示周期内に画素の駆動トランジスタを検出し、画素の駆動トランジスタの現在特性値Ｋ１を取得する。
【００４０】
画素の現在特性値Ｋ１を取得するために複数のブランキング時間内に第１行の画素から最後の１行の画素まで走査する操作は、１フレームの画像の表示周期の走査と呼ぶ。
【００４１】
前記画素の駆動トランジスタの現在特性値Ｋ１の取得方式は、上記の実現方式１と完全同様である。
【００４２】
Ｓ２０：前フレームの画像の表示周期で取得した、画素の駆動トランジスタの履歴補償用特性値Ｋ２を抽出する。
【００４３】
Ｓ３０：画素の駆動トランジスタの現在特性値Ｋ１及び履歴補償用特性値Ｋ２に応じ、画素の駆動トランジスタの現在補償用特性値Ｋを算出取得する。
【００４４】
上記Ｓ１００のすべてのステップＳ１０−Ｓ３０の実行が完了した後、Ｓ４０、即ち画素の駆動トランジスタの現在補償用特性値Ｋに応じて、対応する画素を補償することを実行してもよい。このＳ４０は上記のＳ２００に相当する。
【００４５】
駆動トランジスタの現在特性値Ｋ１及び履歴補償用特性値Ｋ２に応じて、現在補償用特性値Ｋを算出する、即ち、現在の補償用特性値Ｋは、現在特性値Ｋ１と履歴補償用特性値Ｋ２の両方を同時に考慮した上で取得したものであるので、現在補償用特性値Ｋと履歴補償用特性値Ｋ２との差値が小さくなり、現在補償用特性値Ｋに応じて対応する画素を補償する時に表示される画面と、履歴補償用特性値Ｋ２に応じて対応する画素を補償する時に表示される画面との差異は比較的に小さくなる。例えば、現在補償用特性値Ｋに応じて対応する画素を補償する時の輝度と、履歴補償用特性値Ｋ２に応じて対応する画素を補償する時の輝度との差異が比較的に小さくなり、その結果、視聴者の視聴体験が向上される。
【００４６】
画素の駆動トランジスタの現在補償用特性値Ｋを取得する方式は様々あるが、以下では、表示装置における複数の画素の配列方式が図２に示すような方式、即ち表示装置における複数の画素がアレイ配列され、且つ複数の画素がＮ行に分けられる方式を例に挙げて詳しく説明する。
【００４７】
例示的には、１フレーム画像毎に１つのブランキング時間があり、１つのブランキング時間内に１行の画素を走査することができ、且つ走査された該行の画素中の各画素の駆動トランジスタを検出可能とすれば、Ｎ行の画素の全てを走査する操作は１フレームの画像の表示周期の走査であり、且つ１フレーム画像毎の表示周期にはＮフレームの画像を表示する必要がある。表示装置は２１６０行の画素を有し、且つリフレッシュ周波数が６０Ｈｚである場合、１フレームの画像の表示周期の走査の完成にかかる時間は２１６０／６０＝３６秒である。
【００４８】
図２に示すように、現フレームの画像の表示周期の第１フレームの画像の表示走査時間内において、第１フレーム画像の表示を実現するように、第１行の画素から第Ｎ行の画素まで走査して、各行の画素を順次点灯させる。従って、表示装置により第１フレーム画像が表示される時、各画素を補償する時に用いられる補償データは、前フレームの画像の表示周期で取得した、各画素の駆動トランジスタの履歴補償用特性値Ｋ２である。
【００４９】
現フレームの画像の表示周期の第１フレームの画像の表示走査時間が終了した後、現フレームの画像の表示周期の第１ブランキング時間に入る。この時、第１行の画素Ｐｉｘｅｌ１を走査し、且つ第１行の画素Ｐｉｘｅｌ１中の各画素の駆動トランジスタを検出して、第１行の画素Ｐｉｘｅｌ１中の各画素の駆動トランジスタの現在特性値Ｋ１を取得し、次に、前フレームの画像の表示周期で取得した、第１行の画素Ｐｉｘｅｌ１中の各画素の駆動トランジスタの履歴補償用特性値Ｋ２を抽出し、そして現フレームの画像の表示周期の第１ブランキング時間で取得した、第１行の画素Ｐｉｘｅｌ１中の各画素の駆動トランジスタの現在特性値Ｋ１及び前フレームの画像の表示周期で取得した、第１行の画素Ｐｉｘｅｌ１中の各画素の駆動トランジスタの履歴補償用特性値Ｋ２に応じ、第１行の画素Ｐｉｘｅｌ１中の各画素の駆動トランジスタの現在補償用特性値Ｋを算出取得する。
【００５０】
現フレームの画像の表示周期の第１ブランキング時間が終了した後、現フレームの画像の表示周期の第２フレームの画像の表示走査時間に入る。第２フレームの画像の表示走査時間において、表示装置が表示する時、第１行の画素Ｐｉｘｅｌ１中の各画素を補償する時に用いられる補償データは、現フレームの画像の表示周期で取得した、第１行の画素Ｐｉｘｅｌ１中の各画素の駆動トランジスタの現在補償用特性値Ｋである。第２行の画素Ｐｉｘｅｌ２から第Ｎ行の画素ＰｉｘｅｌＮまでの各画素を補償する時に用いられる補償データは、前フレームの画像の表示周期で取得した、第２行の画素Ｐｉｘｅｌ２から第Ｎ行の画素ＰｉｘｅｌＮまでの各画素の駆動トランジスタに対応する履歴補償用特性値Ｋ２である。
【００５１】
現フレームの画像の表示周期の第２フレームの画像の表示走査時間が終了した後、現フレームの画像の表示周期の第２ブランキング時間に入る。この時、第２行の画素Ｐｉｘｅｌ２を走査し、且つ第２行の画素Ｐｉｘｅｌ２中の各画素の駆動トランジスタを検出して、第２行の画素Ｐｉｘｅｌ２中の各画素の駆動トランジスタの現在特性値Ｋ１を取得し、次に、前フレームの画像の表示周期で取得した、第２行の画素Ｐｉｘｅｌ２中の各画素の駆動トランジスタの履歴補償用特性値Ｋ２を抽出し、そして現フレームの画像の表示周期の第２ブランキング時間で取得した、第２行の画素Ｐｉｘｅｌ２中の各画素の駆動トランジスタの現在特性値Ｋ１及び前フレームの画像の表示周期で取得した、第２行の画素Ｐｉｘｅｌ２中の各画素の駆動トランジスタの履歴補償用特性値Ｋ２に応じ、第２行の画素Ｐｉｘｅｌ２中の各画素の駆動トランジスタの現在補償用特性値Ｋを算出取得する。
【００５２】
このようにして、各ブランキング時間内において第１行の画素Ｐｉｘｅｌ１から第Ｎ行の画素ＰｉｘｅｌＮまでを順次走査して、各行の画素の駆動トランジスタを検出し、各行の画素の駆動トランジスタの現在特性値Ｋ１を取得し、且つ前フレームの画像の表示周期で取得した、各行の画素の駆動トランジスタの履歴補償用特性値Ｋ２に応じ、各行の画素の駆動トランジスタの現在補償用特性値Ｋを算出取得する。
【００５３】
本開示の幾つかの実施例において、１つのブランキング時間内においてそのうちの数行の画素を順次走査し、且つ走査された数行の画素中の各画素の駆動トランジスタを検出する時、１つのブランキング時間内においてそのうちの１行の画素を順次走査し、且つ走査された該行の画素中の各画素の駆動トランジスタを検出する方式と類似する方式を用いるので、ここでその説明を省略する。
【００５４】
換言すれば、各ブランキング時間において、そのうちの１行の画素を走査するか、又はそのうちの数行の画素を順次走査し、且つ走査された該行の画素の駆動トランジスタ、又は該数行の画素中の各画素の駆動トランジスタを検出して、該行の画素の駆動トランジスタ、又は該数行の画素中の各画素の駆動トランジスタの現在特性値Ｋ１を取得し、前フレームの画像の表示周期での、該行の画素の駆動トランジスタ又は該数行の画素中の各画素の駆動トランジスタに対応する履歴補償用特性値Ｋ２を抽出し、現在特性値Ｋ１及び履歴補償用特性値Ｋ２に応じて、該行の画素又は該数行の画素中の各画素の駆動トランジスタの現在特性値Ｋを算出取得する。
【００５５】
本開示の幾つかの実施例において、画素の駆動トランジスタの現在補償用特性値Ｋを取得する方式は、各ブランキング時間においてそのうちの１行の画素を走査する、又はそのうちの数行の画素を順次走査する時、該行の画素の駆動トランジスタ又は該数行の画素中の同一色の各画素のみの駆動トランジスタを検出して、該行の画素中の、又は該数行の画素中の同一色の各画素の駆動トランジスタの現在特性値Ｋ１を取得し、そして現在補償用特性値Ｋを算出してもよい。
【００５６】
例示的には、１つのブランキング時間内においてそのうちの１行の画素を走査し、且つ該行の画素中の同一色の各画素の駆動トランジスタを検出する。図２に示すように、表示装置は、ＲＧＢ配列パターンを用い、各行の画素中に３分の１の画素がＲ画素１、３分の１の画素がＧ画素２、３分の１の画素がＢ画素３であり、且つ各行の画素においてＲ画素１、Ｇ画素２、Ｂ画素３の順で順次重複して配列される。例えば、まずＲ画素１の駆動トランジスタの現在補償用特性値Ｋを取得し、次にＧ画素２の駆動トランジスタの現在補償用特性値Ｋを取得し、最後にＢ画素３の駆動トランジスタの現在補償用特性値Ｋを取得する。
【００５７】
現フレームの画像の表示周期の第１フレームの画像の表示走査時間において、表示装置が表示する時、各画素を補償する時に用いられる補償データは、前フレームの画像の表示周期で取得した、各画素の駆動トランジスタの履歴補償用特性値Ｋ２である。
【００５８】
現フレームの画像の表示周期の第１フレームの画像の表示走査時間が終了した後、現フレームの画像の表示周期の第１ブランキング時間に入る。この時、第１行の画素Ｐｉｘｅｌ１を走査し、且つ第１行の画素Ｐｉｘｅｌ１中の各Ｒ画素１の駆動トランジスタを検出して、第１行の画素Ｐｉｘｅｌ１中の各Ｒ画素１の駆動トランジスタの現在特性値Ｋ１を取得し、次に、前フレームの画像の表示周期で取得した、第１行の画素Ｐｉｘｅｌ１中の各Ｒ画素１の駆動トランジスタの履歴補償用特性値Ｋ２を抽出し、そして現フレームの画像の表示周期の第１ブランキング時間で取得した第１行の画素Ｐｉｘｅｌ１中の各Ｒ画素１の駆動トランジスタの現在特性値Ｋ１及び前フレームの画像の表示周期で取得した、第１行の画素Ｐｉｘｅｌ１中の各Ｒ画素１の駆動トランジスタの履歴補償用特性値Ｋ２に応じ、第１行の画素Ｐｉｘｅｌ１中の各Ｒ画素１の駆動トランジスタの現在補償用特性値Ｋを算出取得する。
【００５９】
現フレームの画像の表示周期の第１ブランキング時間が終了した後、現フレームの画像の表示周期の第２フレームの画像の表示走査時間に入る。第２フレームの画像の表示走査時間において、表示装置が表示する時、第１行の画素Ｐｉｘｅｌ１中の各Ｒ画素１を補償する時に用いられる補償データは、現フレームの画像の表示周期で取得した、第１行の画素Ｐｉｘｅｌ１中の各Ｒ画素１の駆動トランジスタの現在補償用特性値Ｋであり；第１行の画素Ｐｉｘｅｌ１中のＲ画素１以外の他の画素を補償する時に用いられる補償データは、前フレームの画像の表示周期で取得した、対応する履歴補償用特性値Ｋ２であり；第２行の画素Ｐｉｘｅｌ２から第Ｎ行の画素ＰｉｘｅｌＮまでの各画素を補償する時に用いられる補償データは、前フレームの画像の表示周期で取得した、第２行の画素Ｐｉｘｅｌ２から第Ｎ行の画素ＰｉｘｅｌＮまでの各画素の駆動トランジスタに対応する履歴補償用特性値Ｋ２である。
【００６０】
現フレームの画像の表示周期の第２フレームの画像の表示走査時間が終了した後、現フレームの画像の表示周期の第２ブランキング時間に入る。この時、第２行の画素Ｐｉｘｅｌ２を走査し、且つ第２行の画素Ｐｉｘｅｌ２中の各Ｒ画素１の駆動トランジスタを検出して、第２行の画素Ｐｉｘｅｌ２中の各Ｒ画素１の駆動トランジスタの現在特性値Ｋ１を取得し、次に、前フレームの画像の表示周期で取得した、第２行の画素Ｐｉｘｅｌ２中の各Ｒ画素１の駆動トランジスタの履歴補償用特性値Ｋ２を抽出し、そして現フレームの画像の表示周期の第２ブランキング時間で取得した第２行の画素Ｐｉｘｅｌ２中の各Ｒ画素１の駆動トランジスタの現在特性値Ｋ１及び前フレームの画像の表示周期で取得した、第２行の画素Ｐｉｘｅｌ２中の各Ｒ画素１の駆動トランジスタの履歴補償用特性値Ｋ２に応じ、第２行の画素Ｐｉｘｅｌ２中の各Ｒ画素１の駆動トランジスタの現在補償用特性値Ｋを算出取得する。
【００６１】
このようにして、第１行の画素Ｐｉｘｅｌ１から第Ｎ行の画素ＰｉｘｅｌＮまでを順次走査し、各行の画素中のＲ画素１の駆動トランジスタを検出して、各Ｒ画素１の駆動トランジスタの現在特性値Ｋ１を取得し、且つ前フレームの画像の表示周期で取得した、各Ｒ画素１の駆動トランジスタの履歴補償用特性値Ｋ２に応じ、各Ｒ画素１の駆動トランジスタの現在補償用特性値Ｋを算出取得する。
【００６２】
各Ｒ画素１の駆動トランジスタの現在補償用特性値Ｋの取得が完了した後、第１行の画素Ｐｉｘｅｌ１から第Ｎ行の画素ＰｉｘｅｌＮまでを順次走査し、各Ｇ画素２の駆動トランジスタを検出して、各Ｇ画素２の駆動トランジスタの現在特性値Ｋ１を取得し、且つ前フレームの画像の表示周期で取得した、各Ｇ画素２の駆動トランジスタの履歴補償用特性値Ｋ２に応じ、各Ｇ画素２の駆動トランジスタの現在補償用特性値Ｋを算出取得する。
【００６３】
各Ｇ画素２の駆動トランジスタの現在補償用特性値Ｋの取得が完了した後、第１行の画素Ｐｉｘｅｌ１から第Ｎ行の画素ＰｉｘｅｌＮまでを順次走査し、各Ｂ画素３の駆動トランジスタを検出して、各Ｂ画素３の駆動トランジスタの現在特性値Ｋ１を取得し、且つ前フレームの画像の表示周期で取得した、各Ｂ画素３の駆動トランジスタの履歴補償用特性値Ｋ２に応じ、各Ｂ画素３の駆動トランジスタの現在補償用特性値Ｋを算出取得する。
【００６４】
又は、まず、第１行の画素Ｐｉｘｅｌ１中のＲ画素１を走査し、且つ第１行の画素Ｐｉｘｅｌ１中の各Ｒ画素１の駆動トランジスタを検出して現在特性値Ｋ１を取得し、そして現在補償用特性値Ｋを算出する。その後、第１行の画素Ｐｉｘｅｌ１中のＧ画素２を走査し、且つ第１行の画素Ｐｉｘｅｌ１中の各Ｇ画素２の駆動トランジスタを検出して現在特性値Ｋ１を取得し、そして現在補償用特性値Ｋを算出する。その後、第１行の画素Ｐｉｘｅｌ１中のＢ画素３を走査し、且つ第１行の画素Ｐｉｘｅｌ１中の各Ｂ画素３の駆動トランジスタを検出して現在特性値Ｋ１を取得し、そして現在補償用特性値Ｋを算出する。第１行の画素Ｐｉｘｅｌ１中のＲ画素１、Ｇ画素２及びＢ画素３の走査が完了した後、第２行の画素Ｐｉｘｅｌ２中のＲ画素１、Ｇ画素２及びＢ画素３の走査を実行し、且つこのように類推し、最後の１行の画素中のＲ画素１、Ｇ画素２及びＢ画素３の走査が完了するまで走査を繰り返す。
【００６５】
１つのブランキング時間内においてそのうちの数行の画素を順次走査し、且つ走査された数行の画素中の同一色の各画素の駆動トランジスタを検出する時、１つのブランキング時間内においてそのうちの１行の画素を順次走査し、且つ走査された該行の画素中の同一色の各画素の駆動トランジスタを検出する方式と類似する方式を用いるので、ここでその説明を省略する。
【００６６】
上記の実現形方式では、現在補償用特性値Ｋを取得する時、現在特性値Ｋ１と履歴補償用特性値Ｋ２との両方が同時に考慮され、取得した現在補償用特性値Ｋは、現在特性値Ｋ１と履歴補償用特性値Ｋ２との間に収まるので、現在補償用特性値Ｋと履歴補償用特性値Ｋ２との差値を小さくすることができ、よって表示装置により表示される画面に階層化現象の発生及びリフレッシュ現象の発生は避けられる。
【００６７】
以下、図３に示す画素補償方法を実現する幾つかの例示を提供する。これらの例示では、画素の駆動トランジスタに対応する現在特性値Ｋ１及び履歴補償用特性値Ｋ２に応じ、画素の駆動トランジスタの現在補償用特性値Ｋを算出する時、表示装置の、現在補償用特性値Ｋに応じて対応する画素を補償する時に表示される画面と、履歴補償用特性値Ｋ２に応じて対応する画素を補償する時に表示される画面との差異を可能な限り小さくするため、１つのステップ値Ｋｓｔｅｐを事前に取得し、Ｋ１と、Ｋ２と、Ｋｓｔｅｐとの間の計算を通じて、現在補償用特性値Ｋを取得し、現在補償用特性値ＫがＫ１とＫ２との間に収まるようにすることにより、上記の表示画面間の差異を小さくさせ、ひいては視聴者の視聴体験を向上する。
【００６８】
図４に示すように、本開示の幾つかの実施例に係る画素補償方法は、以下のステップを含む。
【００６９】
Ｓ１０：画素の駆動トランジスタを検出し、画素の駆動トランジスタの現在特性値Ｋ１を取得する。
【００７０】
Ｓ２０：前フレームの画像の表示周期で取得した、画素の駆動トランジスタの履歴補償用特性値Ｋ２を抽出する。
【００７１】
Ｓ３０１：現在特性値Ｋ１と履歴補償用特性値Ｋ２との間の差値Ｋｔｅｍｐを算出し、ここでは、Ｋｔｅｍｐ＝Ｋ１−Ｋ２とする。
【００７２】
Ｓ３０２：差値Ｋｔｅｍｐに応じて、ステップ値Ｋｓｔｅｐを決定し、ここでは、０＜Ｋｓｔｅｐ＜｜Ｋｔｅｍｐ｜である。
【００７３】
ステップ値Ｋｓｔｅｐは０以上であり、且つステップ値Ｋｓｔｅｐは差値Ｋｔｅｍｐの絶対値より小さいと理解されても良い。ステップ値Ｋｓｔｅｐの算出過程は、以下のサブステップを含む。
【００７４】
Ｓ３０２１：ステップ係数ａを設定する。ここでは、ａは１より小さく且つ０より大きい。
【００７５】
Ｓ３０２２：差値Ｋｔｅｍｐとステップ係数ａに応じて、ステップ値Ｋｓｔｅｐを算出する。ここでは、Ｋｓｔｅｐ＝ａ×｜Ｋｔｅｍｐ｜である。
【００７６】
まず、ステップ係数ａを設定する：ここでは、ａは１より小さく且つ０より大きい小数であり、即ち０＜ａ＜１であり、ステップ係数ａは、実際の必要に応じて設定可能である。例えば、ステップ係数ａを固定値に設定し、且つ表示装置における各画素の駆動トランジスタの現在補償用特性値Ｋを算出する時、用いるステップ係数ａをすべて同一にする；又は、表示装置における異なる画素の駆動トランジスタの現在補償用特性値Ｋを算出する時、用いるステップ係数ａを非同一にする。
【００７７】
例示的には、図２に示す表示装置はＲＧＢ配列パターンを用い、表示装置の複数の画素のうち、３分の１の画素がＲ画素１、３分の１の画素がＧ画素２、３分の１の画素がＢ画素３であり、ここでは、表示装置におけるＲ画素１の駆動トランジスタの現在補償用特性値Ｋを算出する時に用いるステップ係数ａと、表示装置におけるＧ画素２の駆動トランジスタの現在補償用特性値Ｋを算出する時に用いるステップ係数ａと、表示装置におけるＢ画素３の駆動トランジスタの現在補償用特性値Ｋを算出する時に用いるステップ係数ａとは、互いに異なる。
【００７８】
又は、例示的には、図１１に示す表示装置は、ＲＧＢＷ（Ｒｅｄ赤色、Ｇｒｅｅｎグレーン、Ｂｌｕｅ青色、Ｗｈｉｔｅ白色）配列パターンを用いる時、表示装置の複数の画素のうち、４分の１の画素がＲ画素１、４分の１の画素がＧ画素２、４分の１の画素がＢ画素３、４分の１の画素がＷ画素４であり、ここでは、表示装置におけるＲ画素１の駆動トランジスタの現在補償用特性値Ｋを算出する時に用いるステップ係数ａと、表示装置におけるＧ画素２の駆動トランジスタの現在補償用特性値Ｋを算出する時に用いるステップ係数ａと、表示装置におけるＢ画素３の駆動トランジスタの現在補償用特性値Ｋを算出する時に用いるステップ係数ａと、表示装置におけるＷ画素４の駆動トランジスタの現在補償用特性値Ｋを算出する時に用いるステップ係数ａとは、互いに異なる。
【００７９】
又は、複数の差値範囲及び各差値範囲に対応するステップ係数ａを設定し、差値Ｋｔｅｍｐがある差値範囲内に収まる場合、対応するステップ係数ａを決定することができる。ステップ値Ｋｓｔｅｐが決定される場合、差値Ｋｔｅｍｐとステップ係数ａに応じてステップ値Ｋｓｔｅｐを算出する。ここでは、Ｋｓｔｅｐ＝ａ×｜Ｋｔｅｍｐ｜であり、即ち、ステップ値Ｋｓｔｅｐは、差値Ｋｔｅｍｐの絶対値にステップ係数aを乗算した値に等しくする。こうして、ステップ値Ｋｓｔｅｐを差値Ｋｔｅｍｐの絶対値より小さくすることができ、よって、算出取得した現在補償用特性値Ｋは、現在特性値Ｋ１と履歴補償用特性値Ｋ２との間に収まるようになる。
【００８０】
以上のステップ係数ａに関する設定は、本開示を説明するための例示であり、実際の適用において、ステップ係数ａは、ステップ係数ａの値が０〜１の範囲内（即ち、０＜ａ＜１）に収まる限り、画素の駆動トランジスタの使用中の異なる状態に応じて異なる値に設定することができ、本開示はそれを限定しない。
【００８１】
Ｓ３０３：現在特性値Ｋ１と履歴補償用特性値Ｋ２の大小を対比する。
【００８２】
現在特性値Ｋ１と履歴補償用特性値Ｋ２の大小を決定するように、現在特性値Ｋ１と履歴補償用特性値Ｋ２を直接対比するか、又は、現在特性値Ｋ１と履歴補償用特性値Ｋ２との間の差値Ｋｔｅｍｐの正負を判断し、差値Ｋｔｅｍｐが正の場合、現在特性値Ｋ１は履歴補償用特性値Ｋ２より大きいとし、差値Ｋｔｅｍｐが負の場合、現在特性値Ｋ１は履歴補償用特性より小さいとする。
【００８３】
現在特性値Ｋ１が履歴補償用特性値Ｋ２より大きい場合、Ｓ３０４１を実行する；現在特性値Ｋ１が履歴補償用特性値Ｋ２より小さい場合、Ｓ３０４２を実行する。
【００８４】
Ｓ３０４１：現在補償用特性値Ｋを算出し、Ｋ＝Ｋ２＋Ｋｓｔｅｐとする。
【００８５】
Ｓ３０４２：現在補償用特性値Ｋを算出し、Ｋ＝Ｋ２−Ｋｓｔｅｐとする。
【００８６】
現在補償用特性値Ｋは、履歴補償用特性値Ｋ２に１つのステップ値Ｋｓｔｅｐを加算するか、又は履歴補償用特性値Ｋ２から１つのステップ値Ｋｓｔｅｐを減算することによって算出される。ステップ値Ｋｓｔｅｐは０以上で、且つステップ値Ｋｓｔｅｐは、現在特性値Ｋ１と履歴補償用特性値Ｋ２との差値Ｋｔｅｍｐの絶対値より小さいため、最終的に算出取得した現在補償用特性値Ｋは、現在特性値Ｋ１と履歴補償用特性値Ｋ２との間に収まり、よって画素に対する補償を実現すると同時に、表示装置が現在補償用特性値Ｋに応じて対応する画素を補償する時に表示する画面と、履歴補償用特性値Ｋ２に応じて対応する画素を補償する時に表示する画面との差異が比較的小さくなり、視聴者の視聴体験は向上される。
【００８７】
Ｓ４０１１：取得した画素の駆動トランジスタの現在補償用特性値Ｋをメモリに記憶する。
【００８８】
隣接する２フレームの画像の表示走査時間の間のブランキング時間内において、表示装置のＮ行の画素中の１行又は数行の画素を走査して、該ブランキング時間内に走査した各画素の駆動トランジスターを検出し、該ブランキング時間内に走査した各画素の駆動トランジスタの現在補償用特性値Ｋを算出取得し、該ブランキング時間内に取得した各画素の駆動トランジスタの現在補償用特性値Ｋは、前に取得した該ブランキング時間内に走査した各画素の駆動トランジスタに対応する履歴補償用特性値Ｋ２を上書きし、該ブランキング時間内で取得した各画素の駆動トランジスタの現在補償用特性値Ｋは、メモリに記憶される。
【００８９】
Ｓ４０２１：メモリから画素の駆動トランジスタの現在補償用特性値Ｋを抽出し、対応する画素を補償する。
【００９０】
上記のブランキング時間が終了した後、次フレームの画像の表示走査時間に入る。該次フレームの画像の表示走査時間内において、メモリから上記のブランキング時間内に走査された各画素の駆動トランジスタの現在補償用特性値Ｋを抽出して、対応する画素を補償し、同時に、メモリから該ブランキング時間の前に取得した、該ブランキング時間内に走査されなかった残りの各画素の駆動トランジスタの履歴補償用特性値Ｋ２を抽出して、対応する残りの画素を補償する。
【００９１】
説明すべきなのは、上記の画素補償過程において、Ｓ１０〜Ｓ３０４１及びＳ３０４２は、他の代替方法を採用してもよく、例えば、画素の駆動トランジスタの現在特性値Ｋ１を、現在補償用特性値Ｋとして直接使用して対応する画素を補償する。ここでは限定しない。
【００９２】
上記の画素補償過程において、Ｓ４０１１及びＳ４０２１は、後述で詳しく説明する他の代替方法を採用してもよい。
【００９３】
以下、図４に示す画素補償方法の実施例の幾つかの変形例を説明する。
【００９４】
［変形例１］
本開示の幾つかの実施例において、現在特性値Ｋ１に１つのステップ値Ｋｓｔｅｐを加算するか、又は現在特性値Ｋ１から１つのステップ値Ｋｓｔｅｐを減算することが採用可能である。図５に示すように、Ｓ１０〜Ｓ３０３及びＳ４０１１とＳ４０２１は、図４に示すＳ１０〜Ｓ３０３及びＳ４０１１とＳ４０２１と同じであり、図５に示す画素補償方法に対する不要な重複を避けるため、ここでその説明を省略し、以下、両者の差異について詳しく説明するが、両者の共通部分について説明を省略する。図５における同一のステップ番号は、図４におけるステップと同一のステップを示している。
【００９５】
Ｓ３０３の対比結果について、現在特性値Ｋ１が履歴補償用特性値Ｋ２より大きい場合、Ｓ３０４１’を実行する；現在特性値Ｋ１が履歴補償用特性値Ｋ２より小さい場合、Ｓ３０４２’を実行する。
【００９６】
Ｓ３０４１’：現在補償用特性値Ｋを算出取得し、Ｋ＝Ｋ１−Ｋｓｔｅｐとする。
【００９７】
Ｓ３０４２’：現在補償用特性値Ｋを算出取得し、Ｋ＝Ｋ１＋Ｋｓｔｅｐとする。
【００９８】
現在補償用特性値Ｋは、現在特性値Ｋ１に１つのステップ値Ｋｓｔｅｐを加算するか、又は現在特性値Ｋ１から１つのステップ値Ｋｓｔｅｐを減算することによって算出される。ステップ値Ｋｓｔｅｐは０以上で、且つステップ値Ｋｓｔｅｐは、現在特性値Ｋ１と履歴補償用特性値Ｋ２との間の差値Ｋｔｅｍｐの絶対値より小さいため、最終的に算出取得した現在補償用特性値Ｋは、現在特性値Ｋ１と履歴補償用特性値Ｋ２との間に収まるようになり、画素に対する補償を実現すると同時に、表示装置が現在補償用特性値Ｋに応じて対応する画素を補償する時に表示する画面と、表示装置が履歴補償用特性値Ｋ２に応じて対応する画素を補償する時に表示する画面との差異は小さくなり、視聴者の視聴体験は向上される。
【００９９】
［変形例２］
本開示の幾つかの実施例において、図６に示すように、Ｓ３０２では差値Ｋｔｅｍｐに応じてステップ値Ｋｓｔｅｐを決定する時、ステップ値Ｋｓｔｅｐの決定は、図４に示す方法の以外、種々の異なる方式を採用してもよい。以下では、ステップ値Ｋｓｔｅｐの決定方式を更に例示的に示す。説明すべきなのは、ステップ値Ｋｓｔｅｐの決定方式は、図４及び図６に示す２つの方法を含むが、これらに限定されない。
【０１００】
図６では、上記のステップ値Ｋｓｔｅｐの決定方式のステップ以外、他のステップは、すべて図４に示す画素補償方法におけるステップと同様である。本開示の実施例に対する不要な重複を回避するため、ここでその説明を省略する。以下、両者の差異について詳しく説明するが、両者の共通部分について説明を省略する。図６に示すように、同一のステップ番号は、図４におけるステップと同一のステップを示す。
【０１０１】
Ｓ３０２１’：ｎ個の区間を設定し、且つ各区間に対応するステップ標準値を設定し、ここで、ｎは１より大きい整数である。
【０１０２】
本開示の幾つかの実施例において、ｎ個の区間は、実際の必要に応じて設定してもよい。例えば、ｎ個の区間は連続的であってもよく、第ｉ区間の開始点と第ｉ−１区間の終了点とは値が等しく、且つ第ｉ−１区間が第ｉ−１区間の終了点で開放する場合、第ｉ区間は、第ｉ区間の開始点で閉合する；これに対して、第ｉ−１区間が第ｉ−１区間の終了点で閉合する場合、第ｉ区間は、第ｉ区間の開始点で開放する。ここでは、２≦ｉ≦ｎである。
【０１０３】
即ち、ｎ個の区間は、［Ｔｅｍｐ１，Ｔｅｍｐ２）、［Ｔｅｍｐ２，Ｔｅｍｐ３）、［Ｔｅｍｐ３，Ｔｅｍｐ４）、……、［Ｔｅｍｐｉ−１，Ｔｅｍｐｉ）、［Ｔｅｍｐｉ，Ｔｅｍｐｉ＋１）、……、［Ｔｅｍｐｎ−１，Ｔｅｍｐｎ）、［Ｔｅｍｐｎ，Ｔｅｍｐｎ＋１］であり、ここでは、Ｔｅｍｐ１からＴｅｍｐｎ＋１まで徐々に大きくなる。この場合、第ｉ−１区間の終了点はＴｅｍｐｉであり、且つ第ｉ−１区間は、第ｉ−１区間の終了点で開放し；第ｉ区間の開始点はＴｅｍｐｉであり、且つ第ｉ区間は、第ｉ区間の開始点で閉合する。
【０１０４】
説明すべきなのは、この時、差値Ｋｔｅｍｐが第ｎ区間の終了点の値と等しい時、対応するステップ値Ｋｓｔｅｐを決定できないことを防止するように、第ｎ区間は、第ｎ区間の終了点で閉合することが好ましい。
【０１０５】
又は、ｎ個の区間は、［Ｔｅｍｐ１，Ｔｅｍｐ２］、（Ｔｅｍｐ２，Ｔｅｍｐ３］、（Ｔｅｍｐ３，Ｔｅｍｐ４］、……、（Ｔｅｍｐｉ−１，Ｔｅｍｐｉ］、（Ｔｅｍｐｉ，Ｔｅｍｐｉ＋１］、……、（Ｔｅｍｐｎ−１，Ｔｅｍｐｎ］、（Ｔｅｍｐｎ，Ｔｅｍｐｎ＋１］であってもよく、ここでは、Ｔｅｍｐ１からＴｅｍｐｎ＋１まで徐々に大きくなる。この場合、第ｉ−１区間の終了点は、Ｔｅｍｐｉであり、且つ第ｉ−１区間は、第ｉ−１区間の終了点で閉合し、第ｉ区間の開始点はＴｅｍｐｉであり、且つ第ｉ区間は、第ｉ区間の開始点で開放する。説明すべきなのは、この場合、差値Ｋｔｅｍｐが第１区間の開始点の値と等しい時、対応するステップ値Ｋｓｔｅｐを決定できないことを防止するように、第１区間は、第１区間の開始点で閉合することが好ましい。
【０１０６】
ｎ個の区間を設定する時、第１区間の開始点と第ｎ区間の終了点とは、実際の必要に応じて設定してもよい。例えば、第１区間の開始点は０に設定され、第ｎ区間の終了点は、０より大きく、且つｎ個の区間において、各区間の終了点の値は、すべて０より大きくなり、この時、後続の、差値Ｋｔｅｍｐが収まる区間を判断する時、差値Ｋｔｅｍｐの絶対値が収まる区間を判断する必要があり；又は、第１区間の開始点の値は、０より小さく設定され、第ｎ区間の終了点の値は、０より大きい。
【０１０７】
Ｓ３０２２’：差値Ｋｔｅｍｐが収まる区間を判断し、差値Ｋｔｅｍｐが収まる区間に対応するステップ基準値を、ステップ値Ｋｓｔｅｐとして決定する。
【０１０８】
本開示の幾つかの実施例において、ｎ個の区間を設定すると同時に、実際の必要に応じてｎ個の区間中の各区間に対応するステップ標準値を設定する。例えば、第ｉ区間に対応するステップ標準値はＴｉであり、ここでは、Ｔｉ＜Ｔｉ＋１で、１≦ｉ≦ｎ−１である。例に挙げると、ｎ個の区間において、第１区間の開始点の値を０に設定すると、第ｎ区間の終了点の値は、０より大きくなり、且つｎ個の区間において、各区間の終了点の値は、何れも０より大きくなり、この場合、各区間の開始点の値を該区間に対応するステップ標準値とする、即ち第ｉ区間に対応するステップ標準値は、第ｉ区間の開始点の値と等しい。
【０１０９】
ステップ値Ｋｓｔｅｐを決定する時、差値Ｋｔｅｍｐをｎ個の区間と対比し、差値Ｋｔｅｍｐが収まる区間を判断し、差値Ｋｔｅｍｐが収まる区間を判定した後、差値Ｋｔｅｍｐが収まる区間に対応するステップ標準値を、ステップ値Ｋｓｔｅｐとして決定できる。
【０１１０】
［変形例３］
本開示の幾つかの実施例において、図７に示すように、Ｓ４０、即ち画素の駆動トランジスタの現在補償用特性値Ｋに応じて対応する画素を補償するステップが、図４に示す実施例と異なる以外、他のステップは、すべて図４に示す実施例における画素補償方法のステップと同様であるので、ここでその説明を省略する。図７に示すように、Ｓ４０は、下記のサブステップを含むことができる。
【０１１１】
Ｓ４０１２：隣接フレームの画像の表示周期でそれぞれ取得した、全ての画素中の各画素の駆動トランジスタの現在補償用特性値Ｋを、第１記憶領域と第２記憶領域に交互に記憶する。
【０１１２】
Ｓ４０２２：各フレームの画像の表示周期で取得した、全ての画素中の各画素の駆動トランジスタの現在補償用特性値Ｋの記憶が完了した後、画素の駆動トランジスタの現在補償用特性値Ｋを抽出し、対応する画素を補償する。
【０１１３】
一例として、図８に示すように、表示装置は、第１記憶領域２２１と第２記憶領域２２２とを有しており、隣接フレームの画像の表示周期でそれぞれ取得した、全ての画素中の各画素の駆動トランジスタの現在補償用特性値Ｋは、第１記憶領域２２１と第２記憶領域２２２に交互に記憶され、且つ、隣接フレームの画像の表示周期のうちの各フレームの画像の表示周期のマルチフレーム表示時間内において、前フレームの画像の表示周期で取得した、全ての画像中の各画素の駆動トランジスタの現在補償用特性値Ｋを第１記憶領域２２１と第２記憶領域２２２から交互に抽出して、対応する画素を補償する。
【０１１４】
本開示の幾つかの実施例において、第ｓフレームの画像の表示周期の複数のブランキング時間内に、第１行の画素Ｐｉｘｅｌ１から第Ｎ行の画素ＰｉｘｅｌＮまでを順次走査して、全ての画素中の各画素の駆動トランジスタの現在補償用特性値Ｋを取得する。例えば、第ｓフレームの画像の表示周期で取得した、全ての画素中の各画素の駆動トランジスタの現在補償用特性値Ｋは、第１記憶領域２２１に記憶され；第ｓフレームの画像の表示周期のマルチフレーム表示時間内において、第２記憶領域２２２に記憶された第ｓ−１フレームの画像の表示周期で取得した、全ての画素中の各画素の駆動トランジスタの現在補償用特性値Ｋを抽出して、対応する画素を補償する。
【０１１５】
その後、第ｓフレームの画像の表示周期において、全ての画素中の各画素の駆動トランジスタの現在補償用特性値Ｋの取得が完了した後、即ち、第ｓフレームの画像の表示周期で取得した、全ての画素中の各画素の駆動トランジスタの現在補償用特性値Ｋの記憶が完了した後、第ｓ＋１フレームの画像の表示周期の、全ての画素中の各画素の駆動トランジスタの現在補償用特性値Ｋの取得過程に移行する。第ｓ＋１フレームの画像の表示周期の複数のブランキング期間内において、第１行の画素Ｐｉｘｅｌ１から第Ｎ行の画素ＰｉｘｅｌＮまでを順次走査して全ての画素の駆動トランジスタの現在補償用特性値Ｋを取得し、取得した全ての画素中の各画素の駆動トランジスタの現在補償用特性値Ｋを第２記憶領域２２２に記憶し；第ｓ＋１フレームの画像の表示周期のマルチフレーム表示時間内において、第１記憶領域２２１に記憶された、第ｓフレームの画像の表示周期で取得した全ての画素中の各画素の駆動トランジスタの現在補償用特性値Ｋを抽出して、対応する画素を補償する。
【０１１６】
第ｓ＋１フレームの画像の表示周期で全ての画素中の各画素の駆動トランジスタの現在補償用特性値Ｋの取得が完了した後、即ち、第ｓ＋１フレームの画像の表示周期で取得した全ての画素中の各画素の駆動トランジスタの現在補償用特性値Ｋの記憶が完了した後、第ｓ＋２フレームの画像の表示周期の、全ての画素中の各画素の駆動トランジスタの現在補償用特性値Ｋの取得に移行し、第ｓ＋２フレームの画像の表示周期の複数のブランキング期間内において、第１行の画素Ｐｉｘｅｌ１から第Ｎ行の画素ＰｉｘｅｌＮまでを順次走査し、取得した全ての画素中の各画素の駆動トランジスタの現在補償用特性値Ｋを第１記憶領域２２１に記憶し；第ｓ＋２フレームの画像の表示周期のマルチフレーム表示時間内において、第２記憶領域２２２に記憶された、第ｓ＋１フレームの画像の表示周期で取得した全ての画素中の各画素の駆動トランジスタの現在補償用特性値Ｋを抽出して、対応する画素を補償する。このように、現在補償用特性値Ｋを交互に記憶し、抽出して、画素に対する補償を実現する。
【０１１７】
［変形例４］
本開示の幾つかの実施例において、図９に示すように、Ｓ４０、即ち画素の駆動トランジスタの現在補償用特性値Ｋに応じて対応する画素を補償するステップは、図４に示す実施例と異なる以外、他のステップは、すべて図４に示す実施例の画素補償方法のステップと同様であるので、ここでその説明を省略する。図９に示すように、Ｓ４０は、下記のサブステップを含むことができる。
【０１１８】
Ｓ４０１３：隣接フレームの画像の表示周期でそれぞれ取得した、同一色の全ての画素中の各画素の駆動トランジスタの現在補償用特性値Ｋを、該色に対応する第１色データサブ領域と第２色データサブ領域に交互に記憶する。
【０１１９】
一例として、図２及び図１０に示すように、表示装置はＲＧＢ配列パターンを用い、表示装置の複数の画素のうち、図２に示すように、３分の１の画素がＲ画素１、３分の１の画素がＧ画素２、３分の１の画素がＢ画素３であり、表示装置の複数の画素はＮ行に分けられ、各行の画素中の複数のＲ画素１、複数のＧ画素２及び複数のＢ画素３は、何れもＲ画素１、Ｇ画素及びＢ画素３の順で順次重複して配列される。図１０に示すように、赤色には、第１赤色データサブ領域２３１と第２赤色データサブ領域２３２が対応付けられ、緑色には、第１緑色データサブ領域２３３と第２緑色データサブ領域２３４が対応付けられて、青色には、第１青色データサブ領域２３５と第２青色データサブ領域２３６が対応付けられる。
【０１２０】
隣接フレームの画像の表示周期でそれぞれ取得した、全てのＲ画素１中の各Ｒ画素１の駆動トランジスタの現在補償用特性値Ｋは、第１赤色データサブ領域２３１と第２赤色データサブ領域２３２に交互に記憶され；隣接フレームの画像の表示周期でそれぞれ取得した、全てのＧ画素２中の各Ｇ画素２の駆動トランジスタの現在補償用特性値Ｋは、第１緑色データサブ領域２３３と第２緑色データサブ領域２３４に交互に記憶され；隣接フレームの画像の表示周期でそれぞれ取得した、全てのＢ画素３中の各Ｂ画素３の駆動トランジスタの現在補償用特性値Ｋは、第１青色データサブ領域２３５と第２青色データサブ領域２３６に交互に記憶される。
【０１２１】
Ｓ４０２３：各フレームの画像の表示周期で取得した同一色の全ての画素中の各画素の駆動トランジスタの現在補償用特性値Ｋの記憶が完了した後、該色の画素の駆動トランジスタの現在補償用特性値Ｋを抽出して、対応する画素を補償する。ここでは、表示装置の色配列パターンのいずれか１つの色には、第１色データサブ領域と第２色データサブ領域が対応付けられる。
【０１２２】
同様に図２及び図１０に示すように、隣接フレームの画像の表示周期のうちの各フレームの画像の表示周期のマルチフレーム表示時間内において、前フレームの画像の表示周期で取得した、全てのＲ画素１中の各Ｒ画素１の駆動トランジスタの現在補償用特性値Ｋを、第１赤色データサブ領域２３１と第２赤色データサブ領域２３２から交互に抽出して、対応するＲ画素１を補償し；前フレームの画像の表示周期で取得した、全てのＧ画素２中の各Ｇ画素２の駆動トランジスタの現在補償用特性値Ｋを、第１緑色データサブ領域２３３と第２緑色データサブ領域２３４から交互に抽出して、対応するＧ画素２を補償し；前フレームの画像の表示周期で取得した、全てのＢ画素３中の各Ｂ画素３の駆動トランジスタの現在補償用特性値Ｋを、第１青色データサブ領域２３５と第２青色データサブ領域２３６から交互に抽出して、対応するＢ画素３を補償する。
【０１２３】
本開示の幾つかの実施例において、各フレームの画像の表示周期で全ての画素中の各画素の駆動トランジスタの現在補償用特性値Ｋを取得する時、まず全てのＲ画素１中の各Ｒ画素１の駆動トランジスタの現在補償用特性値Ｋを取得し、次に、全てのＧ画素２中の各Ｇ画素２の駆動トランジスタの現在補償用特性値Ｋを取得し、最後に、全てのＢ画素３中の各Ｂ画素３の駆動トランジスタの現在補償用特性値Ｋを取得する。
【０１２４】
第ｔフレームの画像の表示周期の複数のブランキング時間内において、最初の３分の１のブランキング時間内に、第１行の画素Ｐｉｘｅｌ１から第Ｎ行の画素ＰｉｘｅｌＮまでを順次走査し、全てのＲ画素１中の各Ｒ画素１の駆動トランジスタの現在補償用特性値Ｋを取得し、第ｔフレームの画像の表示周期で取得した、全てのＲ画素１中の各Ｒ画素１の駆動トランジスタの現在補償用特性値Ｋを、第１赤色データサブ領域２３１に記憶し；第ｔフレームの画像の表示周期のマルチフレーム表示時間内に、第２赤色データサブ領域２３２に記憶された、第ｔ−１フレームの画像の表示周期で取得した全てのＲ画素１中の各Ｒ画素１の駆動トランジスタの現在補償用特性値Ｋを抽出して、対応するＲ画素１を補償し；第２緑色データサブ領域２３４に記憶された、第ｔ−１フレームの画像の表示周期で取得した全てのＧ画素２中の各Ｇ画素２の駆動トランジスタの現在補償用特性値Ｋを抽出して、対応するＧ画素２を補償し；第２青色データサブ領域２３６に記憶された、第ｔ−１フレームの画像の表示周期で取得した全てのＢ画素３中の各Ｂ画素３の駆動トランジスタの現在補償用特性値Ｋを抽出して、対応するＢ画素３を補償する。
【０１２５】
第ｔフレームの画像の表示周期で全てのＲ画素１中の各Ｒ画素１の駆動トランジスタの現在補償用特性値Ｋの取得が完了した後、即ち第ｔフレームの画像の表示周期で取得した、全てのＲ画素１中の各Ｒ画素１の駆動トランジスタの現在補償用特性値Ｋの記憶が完了した後、再度第１行の画素Ｐｉｘｅｌ１から第Ｎ行の画素ＰｉｘｅｌＮまでを順次走査し、全てのＧ画素２中の各Ｇ画素２の駆動トランジスタの現在補償用特性値Ｋを取得する。
【０１２６】
第ｔフレームの画像の表示周期で取得した、全てのＧ画素２中の各Ｇ画素２の駆動トランジスタの現在補償用特性値Ｋは、第１緑色データサブ領域２３３に記憶される。第ｔフレームの画像の表示周期のマルチフレーム表示時間内に、第１赤色データサブ領域２３１に記憶された、第ｔフレームの画像の表示周期で取得した全てのＲ画素１中の各Ｒ画素１の駆動トランジスタの現在補償用特性値Ｋを抽出して、対応するＲ画素１を補償し；第２緑色データサブ領域２３４に記憶された、第ｔ−１フレームの画像の表示周期で取得した全てのＧ画素２中の各Ｇ画素２の駆動トランジスタの現在補償用特性値Ｋを抽出して、対応するＧ画素２を補償し；第２青色データサブ領域２３６に記憶された、第ｔ−１フレームの画像の表示周期で取得した全てのＢ画素３中の各Ｂ画素３の駆動トランジスタの現在補償用特性値Ｋを抽出して、対応するＢ画素３を補償する。
【０１２７】
第ｔフレームの画像の表示周期で全てのＧ画素２中の各Ｇ画素２の駆動トランジスタの現在補償用特性値Ｋの取得が完了した後、即ち第ｔフレームの画像の表示周期で取得した、全てのＧ画素２中の各Ｇ画素２の駆動トランジスタの現在補償用特性値Ｋの記憶が完了した後、再度第１行の画素Ｐｉｘｅｌ１から第Ｎ行の画素ＰｉｘｅｌＮまでを順次走査し、全てのＢ画素３中の各Ｂ画素３の駆動トランジスタの現在補償用特性値Ｋを取得する。
【０１２８】
第ｔフレームの画像の表示周期で取得した、全てのＢ画素３中の各Ｂ画素３の駆動トランジスタの現在補償用特性値Ｋは、第１青色データサブ領域２３５に記憶され、第ｔフレームの画像の表示周期のマルチフレーム表示時間内に、第１赤色データサブ領域２３１に記憶された、第ｔフレームの画像の表示周期で取得した全てのＲ画素１中の各Ｒ画素１の駆動トランジスタの現在補償用特性値Ｋを抽出して、対応するＲ画素１を補償し；第１緑色データサブ領域２３３に記憶された、第ｔフレームの画像の表示周期で取得した全てのＧ画素２中の各Ｇ画素２の駆動トランジスタの現在補償用特性値Ｋを抽出して、対応するＧ画素２を補償し；第２青色データサブ領域２３６に記憶された第ｔ−１フレームの画像の表示周期で取得した、全てのＢ画素３中の各Ｂ画素３の駆動トランジスタの現在補償用特性値Ｋを抽出して、対応するＢ画素３を補償する。
【０１２９】
第ｔフレームの画像の表示周期で全てのＢ画素３中の各Ｂ画素３の駆動トランジスタの現在補償用特性値Ｋの取得が完了した後、即ち第ｔフレームの画像の表示周期で取得した、全てのＢ画素３中の各Ｂ画素３の駆動トランジスタの現在補償用特性値Ｋの記憶が完了した後、第ｔ＋１フレームの画像の表示周期の、全ての画素中の各画素の駆動トランジスタの現在補償用特性値Ｋの取得に移行する。
【０１３０】
同様に、まず全てのＲ画素１中の各Ｒ画素１の駆動トランジスタの現在補償用特性値Ｋを取得し、次に、全てのＧ画素２中の各Ｇ画素２の駆動トランジスタの現在補償用特性値Ｋを取得し、続いて全てのＢ画素３中の各Ｂ画素３の駆動トランジスタの現在補償用特性値Ｋを取得する。
【０１３１】
第ｔ＋１フレームの画像の表示周期で全てのＲ画素１中の各Ｒ画素１の駆動トランジスタの現在補償用特性値Ｋを取得する時、全てのＧ画素２中の各Ｇ画素２の駆動トランジスタの現在補償用特性値Ｋを取得する時、及び全てのＢ画素３中の各Ｂ画素３の駆動トランジスタの現在補償用特性値Ｋを取得する時に、第１青色データサブ領域２３７に記憶された、第ｔフレームの画像の表示周期で取得した全てのＢ画素３中の各Ｂ画素３の駆動トランジスタの現在補償用特性値Ｋを抽出して、対応するＢ画素３を補償する。
【０１３２】
第ｔ＋１フレームの画像の表示周期で取得した、全てのＲ画素１中の各Ｒ画素１の駆動トランジスタの現在補償用特性値Ｋは、第２赤色データサブ領域２３２に記憶され；第ｔ＋１フレームの画像の表示周期で取得した、全てのＧ画素２中の各Ｇ画素２の駆動トランジスタの現在補償用特性値Ｋは、第２緑色データサブ領域２３４に記憶され；第ｔ＋１フレームの画像の表示周期で取得した全てのＢ画素３中の各Ｂ画素３の駆動トランジスタの現在補償用特性値Ｋは、第２青色データサブ領域２３６に記憶される。
【０１３３】
本開示の幾つかの実施例において、図１１及び図１０に示すように、表示装置はＲＧＢＷ配列パターンを用い、表示装置の複数の画素のうち、４分の１の画素がＲ画素１、４分の１の画素がＧ画素２、４分の１の画素がＢ画素３、４分の１の画素がＷ画素４である。
【０１３４】
表示装置の複数の画素はＮ行に分けられ、各行の画素中の複数のＲ画素１、複数のＧ画素２、複数のＢ画素３と複数のＷ画素４は、いずれもＲ画素１、Ｇ画素２、Ｂ画素３、Ｗ画素４の順で順次重複して配列され；赤色には、第１赤色データサブ領域２３１と第２赤色データサブ領域２３２が対応付けられ、緑色には、第１緑色データサブ領域２３３と第２緑色データサブ領域２３４が対応付けられ、青色には、第１青色データサブ領域２３５と第２青色データサブ領域２３６が対応付けられ、白色には、第１白色データサブ領域２３７と第２白色データサブ領域２３８が対応付けられる。
【０１３５】
全ての画素中の各画素の駆動トランジスタの現在補償用特性値Ｋを取得する時、隣接フレームの画像の表示周期でそれぞれ取得した、全てのＲ画素１中の各Ｒ画素１の駆動トランジスタの現在補償用特性値Ｋは、第１赤色データサブ領域２３１と第２赤色データサブ領域２３２に交互に記憶され；隣接フレームの画像の表示周期でそれぞれ取得した、全てのＧ画素２中の各Ｇ画素２の駆動トランジスタの現在補償用特性値Ｋは、第１緑色データサブ領域２３３と第２緑色データサブ領域２３４に交互に記憶され；隣接フレームの画像の表示周期でそれぞれ取得した、全てのＢ画素３中の各Ｂ画素３の駆動トランジスタの現在補償用特性値Ｋは、第１青色データサブ領域２３５と第２青色データサブ領域２３６に交互に記憶され；隣接フレームの画像の表示周期でそれぞれ取得した、全てのＷ画素４中の各Ｗ画素４の駆動トランジスタの現在補償用特性値Ｋは、第１白色データサブ領域２３７と第２白色データサブ領域２３８に交互に記憶される。
【０１３６】
また、隣接フレームの画像の表示周期のうちの各フレームの画像の表示周期のマルチフレーム表示時間内において、前フレームの画像の表示周期で取得した、全てのＲ画素１中の各Ｒ画素１の駆動トランジスタの現在補償用特性値Ｋを、第１赤色データサブ領域２３１及び第２赤色データサブ領域２３２から交互に抽出して、対応するＲ画素１を補償し；前フレームの画像の表示周期で取得した、全てのＧ画素２中の各Ｇ画素２の駆動トランジスタの現在補償用特性値Ｋを、第１緑色データサブ領域２３３及び第２緑色データサブ領域２３４から交互に抽出して、対応するＧ画素２を補償し；前フレームの画像の表示周期で取得した、全てのＢ画素３中の各Ｂ画素３の駆動トランジスタの現在補償用特性値Ｋを、第１青色データサブ領域２３５及び第２青色データサブ領域２３６から交互に抽出して、対応するＢ画素３を補償し；前フレームの画像の表示周期で取得した、全てのＷ画素４中の各Ｗ画素４の駆動トランジスタの現在補償用特性値Ｋを、第１白色データサブ領域２３７及び第２白色データサブ領域２３８から交互に抽出して、対応するＷ画素４を補償する。
【０１３７】
例示的には、各フレームの画像の表示周期で全ての画素中の各画素の駆動トランジスタの現在補償用特性値Ｋを取得する時、まず全てのＲ画素１中の各Ｒ画素１の駆動トランジスタの現在補償用特性値Ｋを取得し、次に、全てのＧ画素２中の各Ｇ画素２の駆動トランジスタの現在補償用特性値Ｋを取得し、続いて全てのＢ画素３中の各Ｂ画素３の駆動トランジスタの現在補償用特性値Ｋを取得し、更に全てのＷ画素４中の各Ｗ画素４の駆動トランジスタの現在補償用特性値Ｋを取得する。
【０１３８】
第ｔフレームの画像の表示周期の複数のブランキング時間内において、最初の４分の１のブランキング時間内に、第１行の画素Ｐｉｘｅｌ１から第Ｎ行の画素ＰｉｘｅｌＮまでを順次走査し、全てのＲ画素１中の各Ｒ画素１の駆動トランジスタの現在補償用特性値Ｋを取得し、第ｔフレームの画像の表示周期で取得した全てのＲ画像１中の各Ｒ画素１の駆動トランジスタの現在補償用特性値Ｋを第１赤色データサブ領域２３１に記憶し；第ｔフレームの画像の表示周期のマルチフレーム表示時間内において、第２赤色データサブ領域２３２に記憶された、第ｔ−１フレームの画像の表示周期で取得した全てのＲ画素１中の各Ｒ画素１の駆動トランジスタの現在補償用特性値Ｋを抽出して、対応するＲ画素１を補償し；第２緑色データサブ領域２３４に記憶された、第ｔ−１フレームの画像の表示周期で取得した、全てのＧ画素２中の各Ｇ画素２の駆動トランジスタの現在補償用特性値Ｋを抽出して、対応するＧ画素２を補償し；第２青色データサブ領域２３６に記憶された、第ｔ−１フレームの画像の表示周期で取得した全てのＢ画素３中の各Ｂ画素３の駆動トランジスタの現在補償用特性値Ｋを抽出して、対応するＢ画素３を補償し；第２白色データサブ領域２３８に記憶された、第ｔ−１フレームの画像の表示周期で取得した全てのＷ画素４中の各Ｗ画素４の駆動トランジスタの現在補償用特性値Ｋを抽出して、対応するＷ画素４を補償する。
【０１３９】
第ｔフレームの画像の表示周期で全てのＲ画素１中の各Ｒ画素１の駆動トランジスタの現在補償用特性値Ｋの取得が完了した後、即ち第ｔフレームの画像の表示周期で取得した、全てのＲ画素１中の各Ｒ画素１の駆動トランジスタの現在補償用特性値Ｋの記憶が完了した後、再度第１行の画素Ｐｉｘｅｌ１から第Ｎ行の画素ＰｉｘｅｌＮまでを順次走査し、全てのＧ画素２中の各Ｇ画素２の駆動トランジスタの現在補償用特性値Ｋを取得する。第ｔフレームの画像の表示周期で取得した、全てのＧ画素２中の各Ｇ画素２の駆動トランジスタの現在補償用特性値Ｋは、第１緑色データサブ領域２３３に記憶される。
【０１４０】
第ｔフレームの画像の表示周期のマルチフレーム表示時間内において、第１赤色データサブ領域２３１に記憶された第ｔフレームの画像の表示周期で取得した、全てのＲ画素１中の各Ｒ画素１の駆動トランジスタの現在補償用特性値Ｋを取得して、対応するＲ画素１を補償し；第２緑色データサブ領域２３４に記憶された第ｔ−１フレームの画像の表示周期で取得した、全てのＧ画素２中の各Ｇ画素２の駆動トランジスタの現在補償用特性値Ｋを取得して、対応するＧ画素２を補償し；第２青色データサブ領域２３６に記憶された第ｔ−１フレームの画像の表示周期で取得した、全てのＢ画素３中の各Ｂ画素３の駆動トランジスタの現在補償用特性値Ｋを取得し、対応するＢ画素３を補償し；第２白色データサブ領域２３８に記憶された第ｔ−１フレームの画像の表示周期で取得した、全てのＷ画素４中の各Ｗ画素４の駆動トランジスタの現在補償用特性値Ｋを取得して、対応するＷ画素４を補償する。
【０１４１】
第ｔフレームの画像の表示周期で全てのＧ画素２中の各Ｇ画素２の駆動トランジスタの現在補償用特性値Ｋの取得が完了した後、即ち第ｔフレームの画像の表示周期で取得した、全てのＧ画素２中の各Ｇ画素２の駆動トランジスタの現在補償用特性値Ｋの記憶完了した後、再度第１行の画素Ｐｉｘｅｌ１から第Ｎ行の画素ＰｉｘｅｌＮまでを順次走査し、全てのＢ画素３中の各Ｂ画素３の駆動トランジスタの現在補償用特性値Ｋを取得し、第ｔフレームの画像の表示周期で取得した、全てのＢ画素３中の各Ｂ画素３の駆動トランジスタの現在補償用特性値Ｋを、第１青色データサブ領域２３７に記憶する。
【０１４２】
第ｔフレームの画像の表示周期のマルチフレーム表示時間内において、第１赤色データサブ領域２３１に記憶された、第ｔフレームの画像の表示周期で取得した全てのＲ画素１中の各Ｒ画素１の駆動トランジスタの現在補償用特性値Ｋを取得して、対応するＲ画素１を補償し；第１緑色データサブ領域２３３に記憶された、第ｔフレームの画像の表示周期で取得した全てのＧ画素２中の各Ｇ画素２の駆動トランジスタの現在補償用特性値Ｋを取得して、対応するＧ画素２を補償し；第２青色データサブ領域２３６に記憶された、第ｔ−１フレームの画像の表示周期で取得した全てのＢ画素３中の各Ｂ画素３の駆動トランジスタの現在補償用特性値Ｋを取得して、対応するＢ画素３を補償し；第２白色データサブ領域２３８に記憶された、第ｔ−１フレームの画像の表示周期で取得した全てのＷ画素４中の各Ｗ画素４の駆動トランジスタの現在補償用特性値Ｋを取得して、対応するＷ画素４を補償する。
【０１４３】
第ｔフレームの画像の表示周期で全てのＢ画素３中の各Ｂ画素３の駆動トランジスタの現在補償用特性値Ｋの取得が完了した後、即ち第ｔフレームの画像の表示周期で取得した、全てのＢ画素３中の各Ｂ画素３の駆動トランジスタの現在補償用特性値Ｋの記憶が完了した後、再度第１行の画素Ｐｉｘｅｌ１から第Ｎ行の画素ＰｉｘｅｌＮまでを順次走査し、全てのＷ画素４中の各Ｗ画素４の駆動トランジスタの現在補償用特性値Ｋを取得し；第ｔフレームの画像の表示周期で取得した、全てのＷ画素４中の各Ｗ画素４の駆動トランジスタの現在補償用特性値Ｋを、第１白色データサブ領域２３７に記憶する。
【０１４４】
第ｔフレームの画像の表示周期のマルチフレーム表示時間内において、第１赤色データサブ領域２３１に記憶された、第ｔフレームの画像の表示周期で取得した全てのＲ画素１中の各Ｒ画素１の駆動トランジスタの現在補償用特性値Ｋを取得して、対応するＲ画素１を補償し；第１緑色データサブ領域２３３に記憶された、第ｔフレームの画像の表示周期で取得した全てのＧ画素２中の各Ｇ画素２の駆動トランジスタの現在補償用特性値Ｋを取得して、対応するＧ画素２を補償し；第１青色データサブ領域２３５に記憶された、第ｔフレームの画像の表示周期で取得した全てのＢ画素３中の各Ｂ画素３の駆動トランジスタの現在補償用特性値Ｋを取得して、対応するＢ画素３を補償し；第２白色データサブ領域２３８に記憶された、第ｔ−１フレームの画像の表示周期で取得した全てのＷ画素４中の各Ｗ画素４の駆動トランジスタの現在補償用特性値Ｋを取得して、対応するＷ画素４を補償する。
【０１４５】
第ｔフレームの画像の表示周期で全てのＷ画素４中の各Ｗ画素４の駆動トランジスタの現在補償用特性値Ｋの取得が完了した後、即ち第ｔフレームの画像の表示周期で取得した、全てのＷ画素４中の各Ｗ画素４の駆動トランジスタの現在補償用特性値Ｋの記憶が完了した後、第ｔ＋１フレームの画像の表示周期の、全ての画素中の各画素の駆動トランジスタの現在補償用特性値Ｋの取得に移行する。
【０１４６】
同様に、まず全てのＲ画素１中の各Ｒ画素１の駆動トランジスタの現在補償用特性値Ｋを取得し、次に、全てのＧ画素２中の各Ｇ画素２の駆動トランジスタの現在補償用特性値Ｋを取得し、続いて全てのＢ画素３中の各Ｂ画素３の駆動トランジスタの現在補償用特性値Ｋを取得し、更に全てのＷ画素４中の各Ｗ画素４の駆動トランジスタの現在補償用特性値Ｋを取得する。
【０１４７】
第ｔ＋１フレームの画像の表示周期で全てのＲ画素１中の各Ｒ画素１の駆動トランジスタの現在補償用特性値Ｋを取得する時、全てのＧ画素２中の各Ｇ画素２の駆動トランジスタの現在補償用特性値Ｋを取得する時、全てのＢ画素３中の各Ｂ画素３の駆動トランジスタの現在補償用特性値Ｋを取得する時、及び全てのＷ画素４中の各Ｗ画素４の駆動トランジスタの現在補償用特性値Ｋを取得する時に、第１白色データサブ領域２３７に記憶された、第ｔフレームの画像の表示周期で取得した全てのＢ画素３中の各Ｂ画素３の駆動トランジスタの現在補償用特性値Ｋを取得し、対応するＢ画素３を補償し；第ｔ＋１フレームの画像の表示周期で取得した、全てのＲ画素１中の各Ｒ画素１の駆動トランジスタの現在補償用特性値Ｋは、第２赤色データサブ領域２３２に記憶され、第ｔ＋１フレームの画像の表示周期で取得した、全てのＧ画素２中の各Ｇ画素２の駆動トランジスタの現在補償用特性値Ｋは、第２緑色データサブ領域２３４に記憶され、第ｔ＋１フレームの画像の表示周期で取得した、全てのＢ画素３中の各Ｂ画素３の駆動トランジスタの現在補償用特性値Ｋは、第２ブールデータサブ領域２３６に記憶され、第ｔ＋１フレームの画像の表示周期で取得した、全てのＷ画素４中の各Ｗ画素４の駆動トランジスタの現在補償用特性値Ｋは、第２白色データサブ領域２３８に記憶される。
【０１４８】
本開示の幾つかの実施例は、上記方法の例示に基づき上記方法を実現する表示装置に対して、機能モジュールの分割を実施することができる。例えば、各機能に対応して各機能モジュールを分割してもよいし、２つ以上の機能を１つの機能モジュールに統合してもよい。上記統合された機能モジュールは、ハードウェアを用いる形式で実現してもよいし、ソフトウェア機能モジュールを用いる形式で実現してもよい。説明すべきなのは、本開示の幾つかの実施例における機能モジュールの分割は例示的で、論理的な機能分割であり、実際の適用時には、別の分割方式があり得る。
【０１４９】
本開示の幾つかの実施例において、図１３〜図１６の示すように、更に、上記の実施例に記載の画素補償方法を用いる画素補償システムを提供する。
【０１５０】
図１３に示すように、前記画素補償システムは、主制御チップ１０と、ゲートドライバ２０と、ソースドライバ３０とを備える。主制御チップ１０は、ゲートドライバ２０とソースドライバ３０に接続され、前記ゲートドライバ２０は、各画素中の画素の駆動トランジスタのゲートに接続され、ソースドライバ３０は、各画素中の画素の駆動トランジスタのソースに接続される。主制御チップ１０は、画素の駆動トランジスタの現在補償用特性値Ｋを取得するように配置され、ゲートドライバ２０及びソースドライバ３０は、取得した画素の駆動トランジスタの現在補償用特性値Ｋを用いて、対応する画素を補償するように配置される。
【０１５１】
本明細書における各実施例は、いずれも漸進的に説明され、各実施例の間の同一又は類似の部分は互いに参照すればよく、各実施例では他の実施例との違いが重点的に説明される。特に、システムの実施例については、方法の実施例と基本的に類似するため、説明は比較的に簡略化されており、関連する部分は方法の実施例の部分の説明を参照すれば良い。
【０１５２】
本開示の実施例に係る画素補償システムにおいて、主制御チップ１０は、更に、画素の駆動トランジスタを検出し、画素の駆動トランジスタの現在特性値Ｋ１を取得し；前フレームの画像の表示周期で取得した、画素の駆動トランジスタの履歴補償用特性値Ｋ２を取得し；画素の駆動トランジスタの現在補償用特性値Ｋを算出取得するように配置される。
【０１５３】
又は、本開示の幾つかの実施例に係る画素補償システムにおいて、主制御チップ１０は、更に以下のように配置される：現在特性値Ｋ１と履歴補償用特性値Ｋ２との間の差値Ｋｔｅｍｐを算出し、ここでは、Ｋｔｅｍｐ＝Ｋ１−Ｋ２とし；
【０１５４】
差値Ｋｔｅｍｐに応じてステップ値Ｋｓｔｅｐを決定し、０＜Ｋｓｔｅｐ＜｜Ｋｔｅｍｐ｜とし、且つ現在特性値Ｋ１と履歴補償用特性値Ｋ２との大小を対比し；そして現在特性値Ｋ１と履歴補償用特性値Ｋ２との大小、及びステップ値Ｋｓｔｅｐに応じ、現在補償用特性値Ｋを算出取得し；ここでは、現在特性値Ｋ１が履歴補償用特性値Ｋ２より大きい場合、Ｋ＝Ｋ２＋Ｋｓｔｅｐとし；現在特性値Ｋ１が履歴補償用特性値Ｋ２より小さい場合、Ｋ＝Ｋ２−Ｋｓｔｅｐとする。
【０１５５】
又は、本開示の幾つかの実施例に係る画素補償システムにおいて、主制御チップ１０は、更に以下のように配置される：現在特性値Ｋ１と履歴補償用特性値Ｋ２との間の差値Ｋｔｅｍｐを算出し、ここでは、Ｋｔｅｍｐ＝Ｋ１−Ｋ２とし；差値Ｋｔｅｍｐに応じてステップ値Ｋｓｔｅｐを決定し、０＜Ｋｓｔｅｐ＜｜Ｋｔｅｍｐ｜とし、且つ現在特性値Ｋ１と履歴補償用特性値Ｋ２との大小を対比し；現在特性値Ｋ１と履歴補償用特性値Ｋ２との大小、及びステップ値Ｋｓｔｅｐに応じて、現在補償用特性値Ｋを算出取得し；ここでは、現在特性値Ｋ１が履歴補償用特性値Ｋ２より大きい場合、Ｋ＝Ｋ１−Ｋｓｔｅｐとし；現在特性値Ｋ１が履歴補償用特性値Ｋ２より小さい場合、Ｋ＝Ｋ１＋Ｋｓｔｅｐとする。
【０１５６】
本開示の幾つかの実施例において、ステップ値Ｋｓｔｅｐがステップ係数ａと差値Ｋｔｅｍｐを通じて決定される場合、主制御チップ１０は、まずステップ係数ａを決定し、ここでは、ａが１より小さく且つ０より大きい；そして差値Ｋｔｅｍｐとステップ係数ａに応じて、ステップ値Ｋｓｔｅｐを算出し、Ｋｓｔｅｐ＝ａ×｜Ｋｔｅｍｐ｜とする。
【０１５７】
本開示の幾つかの実施例において、差値Ｋｔｅｍｐが収まる区間を通じてステップ値Ｋｓｔｅｐが決定される場合、主制御チップ１０はまずｎ個の区間を設定する。ここでは、ｎが０より大きい整数であり、且つｎ個の区間において、第ｉ区間の開始点と第ｉ−１区間の終了点とは値が等しく、且つ第ｉ区間が第ｉ区間の開始点で閉合する時、第ｉ−１区間は、第ｉ−１区間の終了点で開放し、逆に第ｉ区間が第ｉ区間の開始点で開放する時、第ｉ−１区間は、第ｉ−１区間の終了点で閉合する。ここでは、２≦ｉ≦ｎである。
【０１５８】
続いて、各区間に対応するステップ基準値を設定し；差値Ｋｔｅｍｐが収まる区間を判断し；最後に、差値Ｋｔｅｍｐが収まる区間に応じて、差値Ｋｔｅｍｐが収まる区間に対応するステップ基準値をステップ値Ｋｓｔｅｐとして決定する。
【０１５９】
本開示の幾つかの実施例において、ゲートドライバ２０及びソースドライバ３０が、画素の駆動トランジスタの現在補償用特性値Ｋに応じて、上記Ｓ４０１１及びＳ４０２１に記載の方法を用いる対応する画素を補償する場合、図１３に示すように、画素補償システムは、更に、主制御チップ１０に接続されるメモリ４０を備えても良い。メモリ４０は、主制御チップ１０により取得した画素の駆動トランジスタの現在補償用特性値Ｋを記憶するように配置される。各フレームの画像の表示周期で取得した、全ての画素中の各画素の駆動トランジスタの現在補償用特性値Ｋの記憶が完了した後、主制御チップ１０は、メモリ４０から画素の駆動トランジスタの現在補償用特性値Ｋを抽出し、且つ現在補償用特性値Ｋを、ゲートドライバ２０及びソースドライバ３０に送信して対応する画素を補償する。
【０１６０】
本開示の幾つかの実施例において、ゲートドライバ２０及びソースドライバ３０が、画素の駆動トランジスタの現在補償用特性値Ｋに応じ、上記Ｓ４０１２及びＳ４０２２に記載の方法を用いて対応する画素を補償する場合、図１３に示すように、メモリ４０は、それぞれ主制御チップ１０に接続される第１メモリ４１と、第２メモリ４２とを備えても良く、第１メモリ２２１と第２メモリ２２２は、隣接フレームの画像の表示周期で取得した、全ての画素中の各画素の駆動トランジスタの現在補償用特性値Ｋを交互に記憶する。
【０１６１】
各フレームの画像の表示周期で取得した、全ての画素中の各画素の駆動トランジスタの現在補償用特性値Ｋを第１メモリ４１と第２メモリ４２に交互に記憶した後、主制御チップ１０は、画素の駆動トランジスタの現在補償用特性値Ｋを第１メモリ４１と第２メモリ４２から交互に抽出し、且つ現在補償用特性値Ｋをゲートドライバ２０及びソースドライバ３０に送信して対応する画素を補償する。
【０１６２】
本開示の幾つかの実施例において、ゲートドライバ２０及びソースドライバ３０が、画素の駆動トランジスタの現在補償用特性値Ｋに応じ、上記Ｓ４０１３及びＳ４０２３に記載の方法を用いて対応する画素を補償する場合、画素補償システムは、更に、第１色データメモリと、第２色データメモリを備える。
【０１６３】
図１４に示すように、表示装置の配列パターンのいずれか１つの色には、第１色データメモリと第２色データメモリが対応付けられており、第１色データメモリと第２色データメモリは、それぞれ主制御チップ１０に接続され、いずれか１つの色の第１色データメモリと第２色データメモリは、隣接フレームの画像の表示周期でそれぞれ取得した、該色に対応する全ての画素中の各画素の駆動トランジスタの現在補償用特性値Ｋを交互に記憶するように配置される。
【０１６４】
各フレームの画像の表示周期で取得した、同一色の全ての画素中の各画素の駆動トランジスタの現在補償用特性値Ｋの記憶が完了した後、主制御チップ１０は、該色の画素の駆動トランジスタの現在補償用特性値Ｋを抽出し、且つ現在補償用特性値Ｋをゲートドライバ２０及びソースドライバ３０に送信して、対応する画素を補償する。
【０１６５】
本開示の幾つかの実施例において、表示装置がＲＧＢ配列パターンを用いる場合、図１４に示すように、赤色には第１赤色データメモリ４１１と第２赤色データメモリ４２１が対応付けられ、緑色には第１緑色データメモリ４１２と第２緑色データメモリ４２２が対応付けられ、青色には、第１青色データメモリ４１３と第２青色データメモリ４２３が対応付けられる。即ち、画素補償システムは、第１赤色データメモリ４１１と、第２赤色データメモリ４２１と、第１緑色データメモリ４１２と、第２緑色データメモリ４２２と、第１青色データメモリ４１３と、第２青色データメモリ４２３とを備える。
【０１６６】
第１赤色データメモリ４１１と第２赤色データメモリ４２１とは、それぞれ主制御チップ１０に接続されており、第１赤色データメモリ４１１と第２赤色データメモリ４２１とは、隣接フレームの画像の表示周期でそれぞれ取得した、全てのＲ画素１中の各Ｒ画素１の駆動トランジスタの現在補償用特性値Ｋを交互に記憶するように配置される。
【０１６７】
第１緑色データメモリ４１２と第２緑色データメモリ４２２とは、それぞれ主制御チップ１０に接続されており、第１緑色データメモリ４１２と第２緑色データメモリ４２２とは、隣接フレームの画像の表示周期でそれぞれ取得した、全てのＧ画素２中の各Ｇ画素２の駆動トランジスタの現在補償用特性値Ｋを交互に記憶するように配置される。
【０１６８】
第１青色データメモリ４１３と第２青色データメモリ４２３とは、それぞれ主制御チップ１０に接続されており、第１青色データメモリ４１３と第２青色データメモリ４２３とは、隣接フレームの画像の表示周期でそれぞれ取得した、全てのＢ画素３中の各Ｂ画素３の駆動トランジスタの現在補償用特性値Ｋを交互に記憶するように配置される。
【０１６９】
本開示の幾つかの実施例において、主制御チップ１０は、更に以下のように配置される：即ち、各フレームの画像の表示周期で取得した、全てのＲ画素１中の各Ｒ画素１の駆動トランジスタの現在補償用特性値Ｋの記憶が完了した後、Ｒ画素１の駆動トランジスタの現在補償用特性値Ｋを抽出し、且つそれをゲートドライバ２０及びソースドライバ３０に送信して対応するＲ画素１を補償し；各フレームの画像の表示周期で取得した、全てのＧ画素２中の各Ｇ画素２の駆動トランジスタの現在補償用特性値Ｋの記憶が完了した後、Ｇ画素２の駆動トランジスタの現在補償用特性値Ｋを抽出し、且つそれをゲートドライバ２０及びソースドライバ３０に送信して対応するＧ画素２を補償し；各フレームの画像の表示周期で取得した、全てのＢ画素３中の各Ｂ画素３の駆動トランジスタの現在補償用特性値Ｋの記憶が完了した後、Ｂ画素３の駆動トランジスタの現在補償用特性値Ｋを抽出し、且つそれをゲートドライバ２０及びソースドライバ３０に送信して対応するＢ画素３を補償する。
【０１７０】
本開示の幾つかの実施例において、表示装置がＲＧＢＷ配列パターンを用いる場合、図１５に示すように、赤色には第１赤色データメモリ４１１と第２赤色データメモリ４２１が対応付けられ、緑色には第１緑色データメモリ４１２と第２緑色データメモリ４２２が対応付けられ、青色には第１青色データメモリ４１３と第２青色データメモリ４２３が対応付けられ、白色には第１白色データメモリ４１４と第２白色データメモリ４２４が対応付けられる。即ち、画素補償システムは、第１赤色データメモリ４１１と、第２赤色データメモリ４２１と、第１緑色データメモリ４１２と、第２緑色データメモリ４２２と、第１青色データメモリ４１３と、第２青色データメモリ４２３と、第１白色データメモリ４１４と、第２白色データメモリ４２４とを備える。
【０１７１】
第１赤色データメモリ４１１と第２赤色データメモリ４２１は、隣接フレームの画像の表示周期でそれぞれ取得した、全てのＲ画素１中の各Ｒ画素１の駆動トランジスタの現在補償用特性値Ｋを交互に記憶するように配置される。
【０１７２】
第１緑色データメモリ４１２と第２緑色データメモリ４２２は、隣接フレームの画像の表示周期でそれぞれ取得した、全てのＧ画素２中の各Ｇ画素２の駆動トランジスタの現在補償用特性値Ｋを交互に記憶するように配置される。
【０１７３】
第１青色データメモリ４１３と第２青色データメモリ４２３は、隣接フレームの画像の表示周期でそれぞれ取得した、全てのＢ画素３中の各Ｂ画素３の駆動トランジスタの現在補償用特性値Ｋを交互に記憶するように配置される。
【０１７４】
第１白色データメモリ４１４と第２白色データメモリ４２４は、隣接フレームの画像の表示周期でそれぞれ取得した、全てのＷ画素４中の各Ｗ画素４の駆動トランジスタの現在補償用特性値Ｋを交互に記憶するように配置される。
【０１７５】
本開示の幾つかの実施例において、主制御チップは、更に以下のように配置される：即ち、各フレームの画像の表示周期で取得した、全てのＲ画素１中の各Ｒ画素１の駆動トランジスタの現在補償用特性値Ｋの記憶が完了した後、Ｒ画素１の駆動トランジスタの現在補償用特性値Ｋを抽出し、且つそれをゲートドライバ２０及びソースドライバ３０に送信して対応するＲ画素１を補償し；各フレームの画像の表示周期で取得した、全てのＧ画素２中の各Ｇ画素２の駆動トランジスタの現在補償用特性値Ｋの記憶が完了した後、Ｇ画素２の駆動トランジスタの現在補償用特性値Ｋを抽出し、且つそれをゲートドライバ２０及びソースドライバ３０に送信して対応するＧ画素２を補償し；各フレームの画像の表示周期で取得した、全てのＢ画素３中の各Ｂ画素３の駆動トランジスタの現在補償用特性値Ｋの記憶が完了した後、Ｂ画素３の駆動トランジスタの現在補償用特性値Ｋを抽出し、且つそれをゲートドライバ２０及びソースドライバ３０に送信して対応するＢ画素３を補償し；各フレームの画像の表示周期で取得した、全てのＷ画素４中の各Ｗ画素４の駆動トランジスタの現在補償用特性値Ｋの記憶が完了した後、Ｗ画素４の駆動トランジスタの現在補償用特性値Ｋを抽出し、且つそれをゲートドライバ２０及びソースドライバ３０に送信して対応するＷ画素４を補償する。
【０１７６】
本開示の幾つかの実施例は、更に、プログラムコードを記憶する記憶媒体を提供する。表示装置の１つ又は複数の主制御チップが該プログラムコードを実行する時、該表示装置は、例えば図３〜７及び９に示す画素補償方法を実行する。
【０１７７】
本開示の幾つかの実施例は、更に、表示装置で実行される時、表示装置に図３〜７及び９に示めす画素補償方法を実行させるプログラム製品を提供する。
【０１７８】
上述した実施形態の説明において、具体的な特徴、構造、材料又は特点は、いずれか１つ又は複数の実施例又は例示において、適切な方式で組合せることができる。
【０１７９】
以上に説明したのは、本開示の具体的な実施形態のみであり、本開示の保護範囲は、これらに限定されない。当業者が本開示に開示される技術的範囲内に容易に想到可能な変形や置換は、いずれも本開示の保護範囲内に含まれるものとする。従って、本開示の保護範囲は、前記特許請求の範囲に記載された権利範囲を準拠するものとする。
【０１８０】
この出願は、２０１７年１０月１３日に出願された出願番号が２０１７１０９５５２７７．３で、発明の名称が「画素補償方法及びシステム、表示装置」である中国特許出願を基礎とする優先権を主張し、その開示内容の全ては参照により本出願に組み込まれる。
【図１】
2020537169.tif 000003
【図２】
2020537169.tif 000004
【図３】
2020537169.tif 000005
【図４】
2020537169.tif 000006
【図５】
2020537169.tif 000007
【図６】
2020537169.tif 000008
【図７】
2020537169.tif 000009
【図８】
2020537169.tif 000010
【図９】
2020537169.tif 000011
【図１０】
2020537169.tif 000012
【図１１】
2020537169.tif 000013
【図１２】
2020537169.tif 000014
【図１３】
2020537169.tif 000015
【図１４】
2020537169.tif 000016
【図１５】
2020537169.tif 000017
【図１６】
2020537169.tif 000018
【手続補正書】
【提出日】令和2年4月21日(2020.4.21)
【手続補正１】
【補正対象書類名】特許請求の範囲
【補正対象項目名】全文
【補正方法】変更
【補正の内容】
【特許請求の範囲】
【請求項１】
画素の駆動トランジスタを検出し、画素の駆動トランジスタの現在特性値Ｋ１を取得することと、
前フレームの画像の表示周期で取得した、画素の駆動トランジスタの履歴補償用特性値Ｋ２を抽出することと、
画素の駆動トランジスタに対応する前記現在特性値Ｋ１と前記履歴補償用特性値Ｋ２に応じて、画素の駆動トランジスタの現在補償用特性値Ｋを算出取得することと、
画素の駆動トランジスタの現在補償用特性値Ｋに応じて、対応する画素を補償することとを含む、画素補償方法。
【請求項２】
画素の駆動トランジスタを検出し、画素の駆動トランジスタの現在特性値Ｋ１を取得することは、
各ブランキング時間内において少なくとも１行の画素を走査し、且つ走査された各画素の駆動トランジスタを検出して、各画素の駆動トランジスタの現在特性値Ｋ１を取得することを含み、
前記ブランキング時間は、隣接する２フレームの画像の走査時間の間に、予め設定された時間である、請求項１に記載の画素補償方法。
【請求項３】
各ブランキング時間内において少なくとも１行の画素を走査する時、該少なくとも１行の画素中の同一色の各画素のみの駆動トランジスタを検出して、該少なくとも１行の画素中の同一色の各画素の駆動トランジスタの現在特性値Ｋ１を取得する、請求項２に記載の画素補償方法。
【請求項４】
前記画素の駆動トランジスタに対応する前記現在特性値Ｋ１及び前記履歴補償用特性値Ｋ２に応じて、画素の駆動トランジスタの前記現在補償用特性値Ｋを算出取得することは、
前記現在特性値Ｋ１と前記履歴補償用特性値Ｋ２との間の差値Ｋｔｅｍｐを算出し、ここでは、Ｋｔｅｍｐ＝Ｋ１−Ｋ２とすることと、
前記差値Ｋｔｅｍｐに応じて、ステップ値Ｋｓｔｅｐを決定し、ここでは、０＜Ｋｓｔｅｐ＜｜Ｋｔｅｍｐ｜とすることと、
前記現在特性値Ｋ１と前記履歴補償用特性値Ｋ２の大小を対比することとを含み；
前記現在特性値Ｋ１と前記履歴補償用特性値Ｋ２の大小、及び前記ステップ値Ｋｓｔｅｐに応じて、前記現在補償用特性値Ｋを算出取得することは、
前記現在特性値Ｋ１が前記履歴補償用特性値Ｋ２より大きい場合、Ｋ＝Ｋ２＋Ｋｓｔｅｐとし；前記現在特性値Ｋ１が前記履歴補償用特性値Ｋ２より小さい場合、Ｋ＝Ｋ２−Ｋｓｔｅｐとすることと、
又は、
前記現在特性値Ｋ１が前記履歴補償用特性値Ｋ２より大きい場合、Ｋ＝Ｋ１−Ｋｓｔｅｐとし；前記現在特性値Ｋ１が前記履歴補償用特性値Ｋ２より小さい場合、Ｋ＝Ｋ１＋Ｋｓｔｅｐとすることとを含む、
請求項１に記載の画素補償方法。
【請求項５】
前記差値Ｋｔｅｍｐに応じて、ステップ値Ｋｓｔｅｐを決定することは、
ステップ係数ａを設定し、ここでは、ａを１より小さく且つ０より大きいとすることと、
前記差値Ｋｔｅｍｐ及び前記ステップ係数ａに応じて、前記ステップ値Ｋｓｔｅｐを算出し、ここでは、Ｋｓｔｅｐ＝ａ×｜Ｋｔｅｍｐ｜とすることとを含む、
請求項４に記載の画素補償方法。
【請求項６】
前記差値Ｋｔｅｍｐに応じて、ステップ値Ｋｓｔｅｐを決定することは、
ｎ個の区間を設定し、且つ各前記区間に対応するステップ標準値を設定し、ｎを１より大きい整数とすることと、
前記差値Ｋｔｅｍｐが収まる前記区間を判断し、前記差値Ｋｔｅｍｐが収まる前記区間に対応するステップ標準値を前記ステップ値Ｋｓｔｅｐとして決定することとを含む、請求項４に記載の画素補償方法。
【請求項７】
ｎ個の前記区間において、第ｉ区間の開始点と第ｉ−１区間の終了点とは値が等しく、且つ第ｉ−１区間が第ｉ−１区間の終了点で開放する場合、第ｉ間隔は、第ｉ区間の開始点で閉合し、逆に第ｉ−１区間が第ｉ−１区間の終了点で閉合する場合、第ｉ間隔は、第ｉ区間の開始点で開放し、ここでは、２≦ｉ≦ｎとする、請求項６に記載の画素補償方法。
【請求項８】
前記画素の駆動トランジスタの現在補償用特性値Ｋに応じて、対応する画素を補償することは、
取得した画素の駆動トランジスタの前記現在補償用特性値Ｋをメモリに記憶することと、
前記メモリから画素の駆動トランジスタの前記現在補償用特性値Ｋを抽出して、対応する画素を補償することとを含む、請求項１に記載の画素補償方法。
【請求項９】
前記画素の駆動トランジスタの現在補償用特性値Ｋに応じて、対応する画素を補償することは、
隣接フレームの画像の表示周期でそれぞれ取得した、全ての画素中の各画素の駆動トランジスタの現在補償用特性値Ｋを、第１記憶領域と第２記憶領域に交互に記憶し、各フレームの画像の表示周期で取得した、全ての画素中の各画素の駆動トランジスタの現在補償用特性値Ｋの記憶が完了した後、画素の駆動トランジスタの現在補償用特性値Ｋを抽出して、対応する画素を補償することを含む、請求項１に記載の画素補償方法。
【請求項１０】
前記画素の駆動トランジスタの現在補償用特性値Ｋに応じて、対応する画素を補償することは、
隣接フレームの画像の表示周期でそれぞれ取得した同一色の全ての画素中の各画素の駆動トランジスタの現在補償用特性値Ｋを、該色に対応する第１色データサブ領域と第２色データサブ領域に交互に記憶し、各フレームの画像の表示周期で取得した同一色の全ての画素中の各画素の駆動トランジスタの現在補償用特性値Ｋの記憶が完了した後、該色の画素の駆動トランジスタの現在補償用特性値Ｋを抽出して、対応する画素を補償し、ここでは、表示装置の配列パタンのうちいずれか１つの色には、何れも第１色データサブ領域と第２色データサブ領域が対応付けられることを含む、請求項１に記載の画素補償方法。
【請求項１１】
主制御チップと、ゲートドライバと、ソースドライバとを備え、前記主制御チップは、それぞれ前記ゲートドライバと前記ソースドライバに接続され、前記ゲートドライバと前記ソースドライバは、それぞれ各画素中の画素の駆動トランジスタのゲートとソースに接続される、画素補償システムであって、
前記主制御チップは、
画素の駆動トランジスタを検出し、画素の駆動トランジスタの現在特性値Ｋ１を取得し、
前フレームの画像の表示周期で取得した、画素の駆動トランジスタの履歴補償用特性値Ｋ２を抽出し、
画素の駆動トランジスタに対応する前記現在特性値Ｋ１と前記履歴補償用特性値Ｋ２に応じて、画素の駆動トランジスタの現在補償用特性値Ｋを算出取得するように配置され、
前記ゲートドライバと前記ソースドライバは、取得した画素の駆動トランジスタの現在補償用特性値Ｋを用いて対応する画素を補償するように配置される、画素補償システム。
【請求項１２】
前記主制御チップは、更に、
前記現在特性値Ｋ１と前記履歴補償用特性値Ｋ２との間の差値Ｋｔｅｍｐを算出し、ここでは、Ｋｔｅｍｐ＝Ｋ１−Ｋ２とし、
前記差値Ｋｔｅｍｐに応じて、ステップ値Ｋｓｔｅｐを決定し、０＜Ｋｓｔｅｐ＜｜Ｋｔｅｍｐ｜とし、
前記現在特性値Ｋ１と前記履歴補償用特性値Ｋ２との大小を対比し、
前記現在特性値Ｋ１と前記履歴補償用特性値Ｋ２との大小、及び前記ステップ値Ｋｓｔｅｐに応じて、前記現在補償用特性値Ｋを算出取得し；ここでは、前記現在特性値Ｋ１が前記履歴補償用特性値Ｋ２より大きい場合、Ｋ＝Ｋ２＋Ｋｓｔｅｐとし；前記現在特性値Ｋ１が前記履歴補償用特性値Ｋ２より小さい場合、Ｋ＝Ｋ２−Ｋｓｔｅｐとするように配置される、請求項１１に記載の画素補償システム。
【請求項１３】
前記主制御チップは、更に、
前記現在特性値Ｋ１と前記履歴補償用特性値Ｋ２との間の差値Ｋｔｅｍｐを算出し、ここでは、Ｋｔｅｍｐ＝Ｋ１−Ｋ２とし、
前記差値Ｋｔｅｍｐに応じて、ステップ値Ｋｓｔｅｐを決定し、且つ０＜Ｋｓｔｅｐ＜｜Ｋｔｅｍｐ｜とし、
前記現在特性値Ｋ１と前記履歴補償用特性値Ｋ２との大小を対比し、
前記現在特性値Ｋ１と前記履歴補償用特性値Ｋ２との大小、及び前記ステップ値Ｋｓｔｅｐに応じて、前記現在補償用特性値Ｋを算出取得し；ここでは、前記現在特性値Ｋ１が前記履歴補償用特性値Ｋ２より大きい場合、Ｋ＝Ｋ１−Ｋｓｔｅｐとし；前記現在特性値Ｋ１が前記履歴補償用特性値Ｋ２より小さい場合、Ｋ＝Ｋ１＋Ｋｓｔｅｐとするように配置される、請求項１１に記載の画素補償システム。
【請求項１４】
前記主制御チップは、更に、
ステップ係数ａを決定し、ここでは、ａを１より小さく且つ０より大きいとし、
前記差値Ｋｔｅｍｐ及び前記ステップ係数ａに応じて、前記ステップ値Ｋｓｔｅｐを算出し、且つＫｓｔｅｐ＝ａ×｜Ｋｔｅｍｐ｜とするように配置される、請求項１２又は請求項１３に記載の画素補償システム。
【請求項１５】
前記主制御チップは、更に、
ｎ個の区間を設定し、ここでは、ｎが０より大きい整数とし、且つｎ個の区間において、第ｉ区間の開始点と第ｉ−１区間の終了点とは値が等しく、且つ第ｉ区間が第ｉ区間の開始点で閉合する場合、第ｉ−１間隔は、第ｉ−１区間の終了点で開放し、逆に第ｉ区間が第ｉ区間の開始点で開放する場合、第ｉ−１間隔は、第ｉ−１区間の終了点で閉合する、ここでは、２≦ｉ≦ｎとし、
各前記区間に対応するステップ標準値を設定し、
前記差値Ｋｔｅｍｐが収まる前記区間を判断し、
前記差値Ｋｔｅｍｐが収まる前記区間に応じて、前記差値Ｋｔｅｍｐが収まる前記区間に対応するステップ基準値をステップ値Ｋｓｔｅｐとして取得するように配置される、請求項１２又は請求項１３に記載の画素補償システム。
【請求項１６】
更に、メモリを備え、
前記メモリは前記主制御チップに接続され、取得した前記画素の駆動トランジスタの前記現在補償用特性値Ｋを記憶するように配置されており、
前記主制御チップは、更に、各フレームの画像の表示周期で取得した、全ての画素中の各画素の駆動トランジスタの現在補償用特性値Ｋの記憶が完了した後、前記メモリから画素の駆動トランジスタの前記現在補償用特性値Ｋを抽出して、対応する画素を補償するように配置される、請求項１１に記載の画素補償システム。
【請求項１７】
メモリは、第１メモリと、第２メモリとを備え、
前記第１メモリと前記第２メモリは、それぞれ前記主制御チップに接続され、前記第１メモリと前記第２メモリは、隣接フレームの画像の表示周期でそれぞれ取得した全ての画素中の各画素の駆動トランジスタの現在補償用特性値Ｋを交互に記憶するように配置されており、
前記主制御チップは、更に、各フレームの画像の表示周期で取得した、全ての画素中の各画素の駆動トランジスタの現在補償用特性値Ｋが前記第１メモリと前記第２メモリに交互に記憶された後、前記第１メモリと前記第２メモリから画素の駆動トランジスタの現在補償用特性値Ｋを交互に抽出して、対応する画素を補償するように配置される、請求項１１に記載の画素補償システム。
【請求項１８】
前記システムは、更に、第１色データメモリと、第２色データメモリとを備え；表示装置の配列パターンのうちいずれか１つの色には、何れも第１色データメモリと第２色データメモリが対応付けられ；前記第１色データメモリと前記第２色データメモリは、それぞれ前記主制御チップに接続され、前記第１色データメモリと第２色データメモリは、
隣接フレームの画像の表示周期でそれぞれ取得した、該色に対応する全ての画素中の各画素の駆動トランジスタの現在補償用特性値Ｋを交互に記憶ように配置されており、
前記主制御チップは、更に、各フレームの画像の表示周期で取得した、同一色の全ての画素中の各画素の駆動トランジスタの現在補償用特性値Ｋの記憶が完了した後、該色の画素の駆動トランジスタの現在補償用特性値Ｋを抽出して、対応する画素を補償するように配置される、請求項１１に記載の画素補償システム。
【請求項１９】
表示領域と非表示領域とを備える表示装置であって、
前記表示装置は、前記表示領域に位置するゲート線とデータ線とを含み、前記ゲート線とデータ線とが空間的に交差して複数のアレイ配列された画素を形成し、各前記画素は、いずれも駆動トランジスタを有し、
前記表示装置は、前記非表示領域に位置すると共に、
前記ゲート線に電気的に接続されるゲートドライバと、
前記データ線に電気的に接続されるソースドライバと、
操作指令を含むプログラムコードを記憶するように配置されたメモリと、
前記ゲートドライバ、ソースドライバ及びメモリに接続され、前記操作指令を実行する時、請求項１−１０のいずれかに記載の画素補償方法を実行し、且つ各前記駆動トランジスタを駆動して対応する動作を実行するように配置される１つ又は複数の主制御チップとを備える、表示装置。
【手続補正２】
【補正対象書類名】明細書
【補正対象項目名】０００７
【補正方法】変更
【補正の内容】
【０００７】
【図１】画素補償時に発生する階層化現象及びリフレッシュ現象を示す図である。
【図２】本開示の幾つかの実施例に係る表示装置における画素の第１配列方式を示す図である。
【図３】本開示の幾つかの実施例に係る画素補償方法のフローチャートである。
【図４】図３に示す画素補償方法の例示的なフローチャートである。
【図５】図４に示す画素補償方法の変形例１のフローチャートである。
【図６】図４に示す画素補償方法の変形例２のフローチャートである。
【図７】図４に示す画素補償方法の変形例３のフローチャートである。
【図８】本開示の実施例において現在補償用特性値を記憶する時の第１記憶構成を示す図である。
【図９】図４に示す画素補償方法の変形例４のフローチャートである。
【図１０】本開示の幾つかの実施例において現在補償用特性値を記憶する時の第２記憶構成を示す図である。
【図１１】本開示の幾つかの実施例に係る表示装置における画素の第２配列方式の図である。
【図１２】本開示の幾つかの実施例において現在補償用特性値を記憶する時の第３記憶構成を示す図である。
【図１３】本開示の幾つかの実施例に係る画素補償システムの構成を示す図である。
【図１４】本開示の幾つかの実施例に係る画素補償システムのメモリの第１構成を示す図である。
【図１５】本開示の幾つかの実施例に係る画素補償システムのメモリの第２構成を示す図である。
【図１６】本開示の幾つかの実施例に係る表示装置の構成を示す図である。
【手続補正３】
【補正対象書類名】明細書
【補正対象項目名】００１０
【補正方法】変更
【補正の内容】
【００１０】
図１６に示すように、表示装置は、表示領域５０と、表示領域５０の周囲に位置する非表示領域とを有する。表示装置のゲート線ＧＬ及びデータ線ＤＬは、表示領域５０に位置し、空間的に交差して複数のアレイ配列された画素５１を形成し、各画素５１は、いずれも駆動トランジスタ５２を含む。駆動トランジスタ５２は、例えば、低温ポリシリコン薄膜トランジスタ（Ｌｏｗ  Ｔｅｍｐｅｒａｔｕｒｅ  Ｐｏｌｙ−Ｓｔｉｌｉｃｏｎ  Ｔｈｉｎ−Ｆｉｌｍ  Ｔｒａｎｓｉｓｔｏｒ、ＬＴＰＳ  ＴＦＴ）のようなポリシリコン薄膜トランジスタ、単結晶シリコン薄膜トランジスタ、アモルファスシリコン薄膜トランジスタ、金属酸化物薄膜トランジスタ等の薄膜トランジスタであってもよい。表示装置の主制御チップ１０、ゲートドライバ２０、ソースドライバ３０及びメモリ４０は、共に非表示領域内に位置する。
【手続補正４】
【補正対象書類名】明細書
【補正対象項目名】００１１
【補正方法】変更
【補正の内容】
【００１１】
フィールドプログラマブルゲートアレイ（ＦＰＧＡ）は、プロセッサに類し、種々な演算を実行可能な主制御チップ１０である。前記主制御チップ１０は、ＡＳＩＣチップ（Ａｐｐｌｉｃａｔｉｏｎ  Ｓｐｅｃｉｆｉｃ  Ｉｎｔｅｇｒａｔｅｄ  Ｃｉｒｃｕｉｔ）であってもよい。
【手続補正５】
【補正対象書類名】明細書
【補正対象項目名】００１２
【補正方法】変更
【補正の内容】
【００１２】
ゲートドライバ２０及びソースドライバ３０は、前記主制御チップ１０からの指示に応じ、表示領域５０に位置するゲート線ＧＬ及びデータ線ＤＬに信号を送信し、各画素５１中の対応する駆動トランジスタ５２を駆動して、対応する動作を実行させる実行手段である。
【手続補正６】
【補正対象書類名】明細書
【補正対象項目名】００１３
【補正方法】変更
【補正の内容】
【００１３】
メモリ４０は、前記主制御チップ１０の取り出し及び使用に供されるデータを記憶する。メモリ４０は、不揮発性メモリであって、電源切断後にデータが欠損にならないフラッシュメモリと、高速メモリであって、電源切断後にデータが欠損になるＤＤＩメモリ（Ｄａｔａ  Ｄｏｃｕｍｅｎｔａｔｉｏｎ  Ｉｎｉｔｉａｔｉｖｅ）とを含む。
【手続補正７】
【補正対象書類名】明細書
【補正対象項目名】００１５
【補正方法】変更
【補正の内容】
【００１５】
表示装置は、順次走査の方式で１フレームの画像を表示する。表示装置がＮ行のゲート線ＧＬを有する場合、ある１フレームの画像の表示時間において、ゲート線ＧＬを第１行から第Ｎ行までを順次走査して、各行の画素を第１行から第Ｎ行までを順次点灯させて、１フレームの画像の表示を完了させる。次フレームの画像の表示時間において、再度ゲート線ＧＬを第１行から第Ｎ行までを順次走査する時、次フレームの画像の表示を完了させる。隣接する２フレームの画像の走査時間の間には、ブランキング時間と呼ぶ時間が予め設定される。例えば、表示装置は２１６０行のゲート線（即ち、Ｎ＝２１６０）を有するが、実際では、２２５０行のゲート線を走査し、そのうちの９０行のゲート線の走査時間は、ブランキング時間に対応する。６０Ｈｚの走査周波数では、１フレームの画像の走査所要時間は（１／６０）秒である。この（１／６０）秒において、２１６０行のゲート線の走査所要時間は（１／６０）秒×（２１６０／２２５０）であり、ブランキング時間は（１／６０）秒×（９０／２２５０）である。
【手続補正８】
【補正対象書類名】明細書
【補正対象項目名】００１８
【補正方法】変更
【補正の内容】
【００１８】
表示装置動作中での各画素の駆動トランジスタの特性の変化を相殺するため、表示装置における各画素を補償することが考えられる。表示装置における各画素を補償する時、まず各画素の駆動トランジスタの現在補償用特性値Ｋを取得し、次に、取得した該画素の駆動トランジスタの現在補償用特性値Ｋに応じ該画素を補償して、表示装置動作中での駆動トランジスタの特性変化に起因する、該画素に印加される電気信号の不均一を防止すると共に、表示装置動作中での駆動トランジスタの特性変化に起因する、画素に印加される電気信号と表示すべく画面との不整合を防止する。これは、特に電流駆動型の画素（例えば、ＯＬＥＤ画素）を用いた表示装置に適用する。
【手続補正９】
【補正対象書類名】明細書
【補正対象項目名】００２７
【補正方法】変更
【補正の内容】
【００２７】
表示装置が１フレームの画像を表示可能なＮ行の画素、及びブランキング時間に対応するｎ行の画素を有する（該ｎ行の画素がＮ行の画素中の画素である。即ち０＜ｎ＜Ｎである）場合、一例として、１フレーム毎の画像の走査は、１フレームの画像を表示するための走査と、現在特性値Ｋ１を取得するための走査とを含む。例えば、現フレームの画像の表示時間（１／６０）秒内において、前の（Ｎ／（Ｎ＋ｎ））時間（以下、「表示走査時間」と称する）内では、第１行の画素Ｐｉｘｅｌ１から第Ｎ行の画素ＰｉｘｅｌＮまで走査して、前記現フレームの画像を表示する；そして、後の（Ｎ／（Ｎ＋ｎ））時間（ブランキング時間）内では、第１行の画素Ｐｉｘｅｌ１から第Ｎ行の画素ＰｉｘｅｌＮまでのうちの１行を走査して、走査された１行の画素の現在特性値Ｋ１を取得する。即ち、ｎは１に等しい。
【手続補正１０】
【補正対象書類名】明細書
【補正対象項目名】００２８
【補正方法】変更
【補正の内容】
【００２８】
同様に、次フレームの画像の表示時間（１／６０）秒内において、前の（Ｎ／（Ｎ＋ｎ））時間内では、第１行の画素Ｐｉｘｅｌ１から第Ｎ行の画素ＰｉｘｅｌＮ（即ち、該行の次の行の画素）まで走査して前記次フレームの画像を表示する；そして、後の（Ｎ／Ｎ＋ｎ）時間内では、第１行の画素Ｐｉｘｅｌ１から第Ｎ行の画素ＰｉｘｅｌＮまでのうちの次の１行を走査して、走査された次の１行の画素の現在特性値Ｋ１を取得する。
【手続補正１１】
【補正対象書類名】明細書
【補正対象項目名】００３３
【補正方法】変更
【補正の内容】
【００３３】
本開示の幾つかの実施形態において、図１の（ａ）及び図２に示すように、現フレームの画像の表示周期の第１ブランキング時間から第ｊブランキング時間までの間に、既に図２における第１行の画素Ｐｉｘｅｌ１から第ｍ行の画素Ｐｉｘｅｌｍまで走査し、ここでは、ｊ≦ｍで、ｍ＜Ｎで、且つ第１行の画素Ｐｉｘｅｌ１から第ｍ行の画素Ｐｉｘｅｌｍまでの各画素の駆動トランジスタの現在特性値Ｋ１を取得し、且つ取得した第１行の画素Ｐｉｘｅｌ１から第ｍ行の画素Ｐｉｘｅｌｍまでの各画素の駆動トランジスタの現在特性値Ｋ１を、第１行の画素Ｐｉｘｅｌ１から第ｍ行の画素Ｐｉｘｅｌｍまでの各画素の駆動トランジスタの補償データ、即ち現在補償用特性値Ｋとして直接使用する。
【手続補正１２】
【補正対象書類名】明細書
【補正対象項目名】００３９
【補正方法】変更
【補正の内容】
【００３９】
Ｓ１０：画素の駆動トランジスタを検出し、画素の駆動トランジスタの現在特性値Ｋ１を取得する。
【手続補正１３】
【補正対象書類名】明細書
【補正対象項目名】００５２
【補正方法】変更
【補正の内容】
【００５２】
このようにして、各ブランキング時間内において第１行の画素Ｐｉｘｅｌ１から第Ｎ行の画素ＰｉｘｅｌＮまでを順次走査して、各行の画素の駆動トランジスタを検出し、各行の画素の駆動トランジスタの現在特性値Ｋ１を取得し、且つ各行の画素の駆動トランジスタの現在特性値Ｋ１及び前フレームの画像の表示周期で取得した、各行の画素の駆動トランジスタの履歴補償用特性値Ｋ２に応じ、各行の画素の駆動トランジスタの現在補償用特性値Ｋを算出取得する。
【手続補正１４】
【補正対象書類名】明細書
【補正対象項目名】００６１
【補正方法】変更
【補正の内容】
【００６１】
このようにして、第１行の画素Ｐｉｘｅｌ１から第Ｎ行の画素ＰｉｘｅｌＮまでを順次走査し、各行の画素中のＲ画素１の駆動トランジスタを検出して、各Ｒ画素１の駆動トランジスタの現在特性値Ｋ１を取得し、且つ各Ｒ画素１の駆動トランジスタの現在特性値Ｋ１及び前フレームの画像の表示周期で取得した、各Ｒ画素１の駆動トランジスタの履歴補償用特性値Ｋ２に応じ、各Ｒ画素１の駆動トランジスタの現在補償用特性値Ｋを算出取得する。
【手続補正１５】
【補正対象書類名】明細書
【補正対象項目名】００８８
【補正方法】変更
【補正の内容】
【００８８】
隣接する２フレームの画像の表示走査時間の間のブランキング時間内において、表示装置のＮ行の画素中の１行又は数行の画素を走査して、且つ走査した各画素の駆動トランジスターを検出し、該ブランキング時間内に走査した各画素の駆動トランジスタの現在補償用特性値Ｋを算出する。該ブランキング時間内に取得した各画素の駆動トランジスタの現在補償用特性値Ｋは、前に取得した前フレームの画像の表示周期内に走査した各画素の駆動トランジスタに対応する履歴補償用特性値Ｋ２を上書きし、該ブランキング時間内で取得した各画素の駆動トランジスタの現在補償用特性値Ｋは、メモリに記憶される。
【手続補正１６】
【補正対象書類名】明細書
【補正対象項目名】００９１
【補正方法】変更
【補正の内容】
【００９１】
説明すべきなのは、上記の画素補償過程において、Ｓ１０〜Ｓ３０４２は、他の代替方法を採用してもよく、例えば、画素の駆動トランジスタの現在特性値Ｋ１を、現在補償用特性値Ｋとして直接使用して対応する画素を補償する。ここでは限定しない。
【手続補正１７】
【補正対象書類名】明細書
【補正対象項目名】００９４
【補正方法】変更
【補正の内容】
【００９４】
［変形例１］
本開示の幾つかの実施例において、現在特性値Ｋ１に１つのステップ値Ｋｓｔｅｐを加算するか、又は現在特性値Ｋ１から１つのステップ値Ｋｓｔｅｐを減算することにより、現在補償用特性値Ｋを取得する。図５に示すように、Ｓ１０〜Ｓ３０３及びＳ４０１１とＳ４０２１は、図４に示すＳ１０〜Ｓ３０３及びＳ４０１１とＳ４０２１と同じであり、図５に示す画素補償方法に対する不要な重複を避けるため、ここでその説明を省略し、以下、両者の差異について詳しく説明するが、両者の共通部分について説明を省略する。図５における同一のステップ番号は、図４におけるステップと同一のステップを示している。
【手続補正１８】
【補正対象書類名】明細書
【補正対象項目名】０１２１
【補正方法】変更
【補正の内容】
【０１２１】
Ｓ４０２３：取得した同一色の全ての画素中の各画素の駆動トランジスタの現在補償用特性値Ｋの記憶が完了した後、該色の画素の駆動トランジスタの現在補償用特性値Ｋを抽出して、対応する画素を補償する。ここでは、表示装置の色配列パターンのいずれか１つの色には、第１色データサブ領域と第２色データサブ領域が対応付けられる。
【手続補正１９】
【補正対象書類名】明細書
【補正対象項目名】０１２５
【補正方法】変更
【補正の内容】
【０１２５】
第ｔフレームの画像の表示周期で全てのＲ画素１中の各Ｒ画素１の駆動トランジスタの現在補償用特性値Ｋの取得が完了した後、即ち第ｔフレームの画像の表示周期で取得した、全てのＲ画素１中の各Ｒ画素１の駆動トランジスタの現在補償用特性値Ｋの記憶が完了した後、中間の３分の１のブランキング時間内で、再度第１行の画素Ｐｉｘｅｌ１から第Ｎ行の画素ＰｉｘｅｌＮまでを順次走査し、全てのＧ画素２中の各Ｇ画素２の駆動トランジスタの現在補償用特性値Ｋを取得する。
【手続補正２０】
【補正対象書類名】明細書
【補正対象項目名】０１２７
【補正方法】変更
【補正の内容】
【０１２７】
第ｔフレームの画像の表示周期で全てのＧ画素２中の各Ｇ画素２の駆動トランジスタの現在補償用特性値Ｋの取得が完了した後、即ち第ｔフレームの画像の表示周期で取得した、全てのＧ画素２中の各Ｇ画素２の駆動トランジスタの現在補償用特性値Ｋの記憶が完了した後、最後の３分の１のブランキング時間内で、再度第１行の画素Ｐｉｘｅｌ１から第Ｎ行の画素ＰｉｘｅｌＮまでを順次走査し、全てのＢ画素３中の各Ｂ画素３の駆動トランジスタの現在補償用特性値Ｋを取得する。
【手続補正２１】
【補正対象書類名】明細書
【補正対象項目名】０１３１
【補正方法】変更
【補正の内容】
【０１３１】
第ｔ＋１フレームの画像の表示周期で全てのＲ画素１中の各Ｒ画素１の駆動トランジスタの現在補償用特性値Ｋを取得する時、全てのＧ画素２中の各Ｇ画素２の駆動トランジスタの現在補償用特性値Ｋを取得する時、及び全てのＢ画素３中の各Ｂ画素３の駆動トランジスタの現在補償用特性値Ｋを取得する時に、第ｔ＋１フレームの画像の表示周期のマルチフレーム表示時間内で、第１青色データサブ領域２３５に記憶された、第ｔフレームの画像の表示周期で取得した全てのＢ画素３中の各Ｂ画素３の駆動トランジスタの現在補償用特性値Ｋを抽出して、対応するＢ画素３を補償する。
【手続補正２２】
【補正対象書類名】明細書
【補正対象項目名】０１３９
【補正方法】変更
【補正の内容】
【０１３９】
第ｔフレームの画像の表示周期で全てのＲ画素１中の各Ｒ画素１の駆動トランジスタの現在補償用特性値Ｋの取得が完了した後、即ち第ｔフレームの画像の表示周期で取得した、全てのＲ画素１中の各Ｒ画素１の駆動トランジスタの現在補償用特性値Ｋの記憶が完了した後、第二の４分の１のブランキング時間内で、再度第１行の画素Ｐｉｘｅｌ１から第Ｎ行の画素ＰｉｘｅｌＮまでを順次走査し、全てのＧ画素２中の各Ｇ画素２の駆動トランジスタの現在補償用特性値Ｋを取得する。第ｔフレームの画像の表示周期で取得した、全てのＧ画素２中の各Ｇ画素２の駆動トランジスタの現在補償用特性値Ｋは、第１緑色データサブ領域２３３に記憶される。
【手続補正２３】
【補正対象書類名】明細書
【補正対象項目名】０１４１
【補正方法】変更
【補正の内容】
【０１４１】
第ｔフレームの画像の表示周期で全てのＧ画素２中の各Ｇ画素２の駆動トランジスタの現在補償用特性値Ｋの取得が完了した後、即ち第ｔフレームの画像の表示周期で取得した、全てのＧ画素２中の各Ｇ画素２の駆動トランジスタの現在補償用特性値Ｋの記憶完了した後、第三の４分の１のブランキング時間内で、再度第１行の画素Ｐｉｘｅｌ１から第Ｎ行の画素ＰｉｘｅｌＮまでを順次走査し、全てのＢ画素３中の各Ｂ画素３の駆動トランジスタの現在補償用特性値Ｋを取得し、第ｔフレームの画像の表示周期で取得した、全てのＢ画素３中の各Ｂ画素３の駆動トランジスタの現在補償用特性値Ｋを、第１青色データサブ領域２３５に記憶する。
【手続補正２４】
【補正対象書類名】明細書
【補正対象項目名】０１４３
【補正方法】変更
【補正の内容】
【０１４３】
第ｔフレームの画像の表示周期で全てのＢ画素３中の各Ｂ画素３の駆動トランジスタの現在補償用特性値Ｋの取得が完了した後、即ち第ｔフレームの画像の表示周期で取得した、全てのＢ画素３中の各Ｂ画素３の駆動トランジスタの現在補償用特性値Ｋの記憶が完了した後、最後の４分の１のブランキング時間内で、再度第１行の画素Ｐｉｘｅｌ１から第Ｎ行の画素ＰｉｘｅｌＮまでを順次走査し、全てのＷ画素４中の各Ｗ画素４の駆動トランジスタの現在補償用特性値Ｋを取得し；第ｔフレームの画像の表示周期で取得した、全てのＷ画素４中の各Ｗ画素４の駆動トランジスタの現在補償用特性値Ｋを、第１白色データサブ領域２３７に記憶する。
【手続補正２５】
【補正対象書類名】明細書
【補正対象項目名】０１４７
【補正方法】変更
【補正の内容】
【０１４７】
第ｔ＋１フレームの画像の表示周期で全てのＲ画素１中の各Ｒ画素１の駆動トランジスタの現在補償用特性値Ｋを取得する時、全てのＧ画素２中の各Ｇ画素２の駆動トランジスタの現在補償用特性値Ｋを取得する時、全てのＢ画素３中の各Ｂ画素３の駆動トランジスタの現在補償用特性値Ｋを取得する時、及び全てのＷ画素４中の各Ｗ画素４の駆動トランジスタの現在補償用特性値Ｋを取得する時に、第ｔ＋１フレームの画像の表示周期のマルチフレームの表示時間内で、第１白色データサブ領域２３７に記憶された、第ｔフレームの画像の表示周期で取得した全てのＷ画素４の駆動トランジスタの現在補償用特性値Ｋを取得し、対応するＷ画素４を補償し；第ｔ＋１フレームの画像の表示周期で取得した、全てのＲ画素１中の各Ｒ画素１の駆動トランジスタの現在補償用特性値Ｋは、第２赤色データサブ領域２３２に記憶され、第ｔ＋１フレームの画像の表示周期で取得した、全てのＧ画素２中の各Ｇ画素２の駆動トランジスタの現在補償用特性値Ｋは、第２緑色データサブ領域２３４に記憶され、第ｔ＋１フレームの画像の表示周期で取得した、全てのＢ画素３中の各Ｂ画素３の駆動トランジスタの現在補償用特性値Ｋは、第２ブールデータサブ領域２３６に記憶され、第ｔ＋１フレームの画像の表示周期で取得した、全てのＷ画素４中の各Ｗ画素４の駆動トランジスタの現在補償用特性値Ｋは、第２白色データサブ領域２３８に記憶される。
【手続補正２６】
【補正対象書類名】明細書
【補正対象項目名】０１６０
【補正方法】変更
【補正の内容】
【０１６０】
本開示の幾つかの実施例において、ゲートドライバ２０及びソースドライバ３０が、画素の駆動トランジスタの現在補償用特性値Ｋに応じ、上記Ｓ４０１２及びＳ４０２２に記載の方法を用いて対応する画素を補償する場合、図１３に示すように、メモリ４０は、それぞれ主制御チップ１０に接続される第１メモリ４１と、第２メモリ４２とを備えても良く、第１メモリ４１と第２メモリ４２は、隣接フレームの画像の表示周期で取得した、全ての画素中の各画素の駆動トランジスタの現在補償用特性値Ｋを交互に記憶する。
【国際調査報告】
2020537169.tif 000019
2020537169.tif 000020
2020537169.tif 000021
2020537169.tif 000022